(57)【要約】  携帯用ユーザ装置及びその装置の制御方法が開示される。本発明の実施形態に係る携帯用ユーザ装置は、第１ユーザインターフェース（部）と、第２ユーザインターフェース（部）と、携帯用ユーザ装置の動作条件（ｏｐｅｒａｔｉｎｇ  ｃｏｎｄｉｔｉｏｎ）を検知する検知部と、動作条件が第１条件に相応すると、第１ユーザインターフェースをイネーブルさせて第２ユーザインターフェースをディスエーブルさせ、動作状態が第２条件に相応すると、第２ユーザインターフェースをイネーブルさせて第１ユーザインターフェースをディスエーブルさせる制御部とを含み、動作条件は、携帯用ユーザ装置の外部動作環境及び携帯用ユーザ装置の動作（ｍｏｔｉｏｎ）のうち少なくとも１つである。
2015517149.tif 000002
【特許請求の範囲】
【請求項１】
携帯用ユーザ装置において、
第１ユーザインターフェースと、
第２ユーザインターフェースと、
前記携帯用ユーザ装置の動作条件（ｏｐｅｒａｔｉｎｇ  ｃｏｎｄｉｔｉｏｎ）を検知する検知部と、
前記動作条件が第１条件に相応すると、前記第１ユーザインターフェースをイネーブルさせて前記第２ユーザインターフェースをディスエーブルさせ、前記動作条件が第２条件に相応すると、前記第２ユーザインターフェースをイネーブルさせて前記第１ユーザインターフェースをディスエーブルさせる制御部と
を含み、
前記動作条件は、前記携帯用ユーザ装置の外部動作環境及び前記携帯用ユーザ装置の動作（ｍｏｔｉｏｎ）のうち少なくとも１つであること
を特徴とする携帯用ユーザ装置。
【請求項２】
第３ユーザインターフェースを更に含み、
前記制御部は、
前記動作条件が第３条件に相応すると、前記第１ユーザインターフェース、前記第２ユーザインターフェース及び前記第３ユーザインターフェースのうちの２つをイネーブルさせ、残りのユーザインターフェースをディスエーブルさせること
を特徴とする請求項１に記載の携帯用ユーザ装置。
【請求項３】
前記第３ユーザインターフェースは、音声入力、タッチ入力、視線追跡（ｅｙｅ  ｔｒａｃｋｉｎｇ）入力、タッチのないモーション入力及び外部装置入力のうちの１つを含むこと
を特徴とする請求項２に記載の携帯用ユーザ装置。
【請求項４】
前記第１ユーザインターフェース、前記第２ユーザインターフェース及び前記第３ユーザインターフェースに優先順位レベルが割り当てられたウィンドウをディスプレイするディスプレイ部を更に含み、
前記制御部は、
前記優先順位レベルに基づいて前記第１ユーザインターフェース、前記第２ユーザインターフェース及び前記第３ユーザインターフェースのうち、前記２つを選択すること
を特徴とする請求項２に記載の携帯用ユーザ装置。
【請求項５】
外部装置から前記外部動作環境に関する情報を受信する通信部を更に含み、
前記携帯用ユーザ装置の前記外部動作環境に関する情報は、移動体（ｍｏｖｉｎｇ  ｏｂｊｅｃｔ）の速度に関する情報、移動体の動作に関する情報、移動体の騒音に関する情報及び移動体の輝度に関する情報のうち、少なくとも１つを含むこと
を特徴とする請求項１に記載の携帯用ユーザ装置。
【請求項６】
前記携帯用ユーザ装置の前記外部動作環境は、移動の速度、移動体の動作、移動体の騒音及び移動体の輝度のうち、少なくとも１つを含むことを特徴とする請求項１に記載の携帯用ユーザ装置。
【請求項７】
前記第１ユーザインターフェースは、音声入力、タッチ入力、視線追跡入力、タッチのないモーション入力及び外部装置入力のうちの１つを含み、
前記第２ユーザインターフェースは、音声入力、タッチ入力、視線追跡入力、タッチのないモーション入力及び外部装置入力のうちの１つを含むこと
を特徴とする請求項１に記載の携帯用ユーザ装置。
【請求項８】
前記第１ユーザインターフェースがイネーブルされると前記第１ユーザインターフェースをディスプレイし、前記第２ユーザインターフェースがイネーブルされると前記第２ユーザインターフェースをディスプレイするディスプレイ部を更に含み、
前記第１ユーザインターフェースは,第１グラフィックユーザインターフェース要素（ｅｌｅｍｅｎｔｓ）を含み、
前記第２ユーザインターフェースは,前記第１グラフィックユーザインターフェース要素より大きい第２グラフィックユーザインターフェース要素を含むこと
を特徴とする請求項１に記載の携帯用ユーザ装置。
【請求項９】
前記第１ユーザインターフェースがイネーブルされると前記第１ユーザインターフェースをディスプレイし、前記第２ユーザインターフェースがイネーブルされると前記第２ユーザインターフェースをディスプレイするディスプレイ部を更に含み、
前記第１ユーザインターフェースは、第１輝度を有する第１画面を含み、
前記第２ユーザインターフェースは、前記第１輝度と異なる第２輝度を有する第２画面を含むこと
を特徴とする請求項１に記載の携帯用ユーザ装置。
【請求項１０】
前記第１ユーザインターフェースは、第１音量を有する音を出力し、
前記第２ユーザインターフェースは、前記第１音量と異なる第２音量を有する音を出力すること
を特徴とする請求項１に記載の携帯用ユーザ装置。
【請求項１１】
前記第１ユーザインターフェースがイネーブルされると前記第１ユーザインターフェースをディスプレイし、前記第２ユーザインターフェースがイネーブルされると前記第２ユーザインターフェースをディスプレイするディスプレイ部を更に含み、
前記第１ユーザインターフェースは、複数のグラフィックユーザインターフェース要素を含む第１レイアウトを含み、
前記第２ユーザインターフェースは、前記複数のグラフィックユーザインターフェース要素のうち、頻繁に使用されるグラフィックユーザインターフェース要素を含む第２レイアウトを含む
ことを特徴とする請求項１に記載の携帯用ユーザ装置。
【請求項１２】
前記携帯用ユーザ装置の前記動作条件は、前記携帯用ユーザ装置が移動体に応じて動くことを示す状態を含むことを特徴とする請求項１に記載の携帯用ユーザ装置。
【請求項１３】
近距離（ｓｈｏｒｔ−ｒａｎｇｅ）無線通信を通じてユーザ設定を受信する通信部を更に含み、
前記第１条件及び前記第２条件は、前記受信されたユーザ設定に基づいて決定されること
を特徴とする請求項１に記載の携帯用ユーザ装置。
【請求項１４】
前記制御部は、前記第１ユーザインターフェースまたは前記第２ユーザインターフェースをイネーブルさせる前記制御部に応答してオーバーライド（ｏｖｅｒｒｉｄｅ）命令を検出し、ユーザの前記オーバーライド命令に相応するパターンデータを生成し、前記パターンデータに基づいて前記第１条件及び前記第２条件を修正することを特徴とする請求項１に記載の携帯用ユーザ装置。
【請求項１５】
携帯用ユーザ装置の制御方法において、
前記携帯用ユーザ装置の動作条件を検知するステップと、
前記動作条件が第１条件に相応すると、第１ユーザインターフェースをイネーブルして第２ユーザインターフェースをディスエーブルするステップと、
前記動作条件が第２条件に相応すると、前記第２ユーザインターフェースをイネーブルして前記第１ユーザインターフェースをディスエーブルさせるステップと
を含み、
前記動作条件は、
前記携帯用ユーザ装置の外部動作環境及び前記携帯用ユーザ装置の動作のうち少なくとも１つである
ことを特徴とする携帯用ユーザ装置の制御方法。
【発明の詳細な説明】
【技術分野】
【０００１】
本発明は、ユーザ端末装置及びその制御方法に関し、より詳細には、ユーザの便宜性を向上させるユーザ端末装置及びその制御方法に関する。
【背景技術】
【０００２】
電子技術の発達により、多様な類型の電子装置が開発及び普及されて使用されている。それにより、ユーザがこのような多様な電子装置をより効率的に使用することができる方法に対する研究が持続して行われている。
【０００３】
例えば、多様な電子機器が各種移動体にも搭載されて使用されている。その中で、代表的なものの１つがナビゲーション装置である。ナビゲーション装置は、車両の現在位置を認識し、マップ情報を用いて目的地までの経路をユーザにガイドしてくれる装置である。最近は、モバイル端末装置がナビゲーション装置の役割まで果たしている。ただ、ナビゲーション装置は、ユーザが運転中に使用する場合、運転に対する集中力を低下させる可能性があり、それによる事故を引き起こす危険性が高くなる。よって、移動体を運転する運転者の事故の危険性を軽減させる方策が求められる。
【０００４】
その他に、最新の電子装置は多様な機能をサポートしている。このような機能は、音声、タッチ、モーション等のような多様な入力によって選択及び実行できる。しかし、このような入力方式は、ユーザの行動を考慮しないがために問題になる。よって、多様な類型の電子装置の使用の便宜性を向上させる方策が求められる。
【先行技術文献】
【特許文献】
【０００５】
【特許文献１】韓国特開第２０１０−００５１１５５号公報
【特許文献２】米国特許第７９５７８８３号
【特許文献３】米国特開第２０１２−０００１８４３号公報
【特許文献４】韓国特開第２００４−００５０７４９号公報
【発明の概要】
【発明が解決しようとする課題】
【０００６】
そこで、本発明は、上記問題に鑑みてなされたものであり、本発明の第１の目的は、ユーザ端末装置の位置する移動体の移動状態情報に応じて、ユーザ端末装置の入力モードを切り替えることで、ユーザの便宜を図ることができるユーザ端末装置及びその制御方法を提供することにある。
【０００７】
なお、本発明の第２の目的は、ユーザ端末装置の位置する移動体の移動状態情報に応じて、ユーザ端末装置に設定されたオプション情報を切り替えることで、ユーザの便宜を図ることができるユーザ端末装置及びその制御方法を提供することにある。
【０００８】
次に、本発明の第３の目的は、ユーザ端末装置を運営するユーザのユーザプロファイル情報に応じて、ユーザ端末装置に設定されたユーザインターフェースモードを切り替えることで、ユーザの便宜を図ることができるユーザ端末装置及びその制御方法を提供することにある。
【０００９】
最後に、本発明の第４の目的は、移動体の移動状態情報及び移動体の環境情報のうち少なくとも一方に応じて、ユーザ端末装置に設定されたＧＵＩ情報を切り替えることで、ユーザの便宜を図ることができるユーザ端末装置及びその制御方法を提供することにある。
【課題を解決するための手段】
【００１０】
本発明の実施形態に係る携帯用ユーザ装置は、第１ユーザインターフェース（部）と、第２ユーザインターフェース（部）と、前記携帯用ユーザ装置の動作条件（ｏｐｅｒａｔｉｎｇ  ｃｏｎｄｉｔｉｏｎ）を検知する検知部と、前記動作条件が第１条件に相応すると、前記第１ユーザインターフェースをイネーブルさせて前記第２ユーザインターフェースをディスエーブルさせ、前記動作状態が第２条件に相応すると、前記第２ユーザインターフェースをイネーブルさせて前記第１ユーザインターフェースをディスエーブルさせる制御部とを含み、前記動作条件は、前記携帯用ユーザ装置の外部動作環境及び前記携帯用ユーザ装置の動作（ｍｏｔｉｏｎ）のうち少なくとも１つである。
【００１１】
前記携帯用ユーザ装置は、第３ユーザインターフェースを更に含み、前記制御部は、前記動作条件が第３条件に相応すると、前記第１ユーザインターフェース、前記第２ユーザインターフェース及び前記第３ユーザインターフェースのうちの２つをイネーブルさせ、残りのユーザインターフェースをディスエーブルさせてよい。
【００１２】
前記第３ユーザインターフェースは、音声入力、タッチ入力、視線追跡（ｅｙｅ  ｔｒａｃｋｉｎｇ）入力、タッチのないモーション入力及び外部装置入力のうちの１つを含んでよい。
【００１３】
前記携帯用ユーザ装置は、前記第１ユーザインターフェース、前記第２ユーザインターフェース及び前記第３ユーザインターフェースに優先順位レベルが割り当てられたウィンドウをディスプレイするディスプレイ部を更に含み、前記制御部は、前記優先順位レベルに基づいて前記第１ユーザインターフェース、前記第２ユーザインターフェース及び前記第３ユーザインターフェースのうち、２つを選択してよい。
【００１４】
前記携帯用ユーザ装置は、外部装置から前記外部動作環境に関する情報を受信する通信部を更に含み、前記携帯用ユーザ装置の前記外部動作環境に関する情報は、移動体（ｍｏｖｉｎｇ  ｏｂｊｅｃｔ）の速度に関する情報、移動体の動作に関する情報、移動体の騒音に関する情報及び移動体の輝度に関する情報のうち、少なくとも１つを含んでよい。
【００１５】
前記携帯用装置の前記外部動作環境は、移動の速度、移動体の動作、移動体の騒音及び移動体の輝度のうち、少なくとも１つを含んでよい。
【００１６】
前記第１ユーザインターフェースは、音声入力、タッチ入力、視線追跡入力、タッチのないモーション入力及び外部装置入力のうちの１つを含み、前記第２ユーザインターフェースは、音声入力、タッチ入力、視線追跡入力、タッチのないモーション入力及び外部装置入力のうちの１つを含んでよい。
【００１７】
前記携帯用ユーザ装置は、前記第１ユーザインターフェースがイネーブルされると前記第１ユーザインターフェースをディスプレイし、前記第２ユーザインターフェースがイネーブルされると前記第２ユーザインターフェースをディスプレイするディスプレイ部を更に含み、前記第１ユーザインターフェースは,第１グラフィックユーザインターフェース要素（ｅｌｅｍｅｎｔｓ）を含み、前記第２ユーザインターフェースは、前記第１グラフィックユーザインターフェース要素より大きい第２グラフィックユーザインターフェース要素を含んでよい。
【００１８】
前記携帯用ユーザ装置は、前記第１ユーザインターフェースがイネーブルされると前記第１ユーザインターフェースをディスプレイし、前記第２ユーザインターフェースがイネーブルされると前記第２ユーザインターフェースをディスプレイするディスプレイ部を更に含み、前記第１ユーザインターフェースは、第１輝度を有する第１画面を含み、前記第２ユーザインターフェースは、前記第１輝度と異なる第２輝度を有する第２画面を含んでよい。
【００１９】
前記第１ユーザインターフェースは、第１音量を有する音を出力し、前記第２ユーザインターフェースは、前記第１音量と異なる第２音量を有する音を出力してよい。
【００２０】
前記携帯用ユーザ装置は、前記第１ユーザインターフェースがイネーブルされると前記第１ユーザインターフェースをディスプレイし、前記第２ユーザインターフェースがイネーブルされると前記第２ユーザインターフェースをディスプレイするディスプレイ部を更に含み、前記第１ユーザインターフェースは、複数のグラフィックユーザインターフェース要素を含む第１レイアウトを含み、前記第２ユーザインターフェースは、前記複数のグラフィックユーザインターフェース要素のうち、頻繁に使用されるグラフィックユーザインターフェース要素を含む第２レイアウトを含んでよい。
【００２１】
前記携帯用ユーザ装置の前記動作条件は、前記携帯用ユーザ装置が移動体に応じて動くことを示す状態を含んでよい。
【００２２】
前記携帯用ユーザ装置は、近距離（ｓｈｏｒｔ−ｒａｎｇｅ）無線通信を介してユーザ設定を受信する通信部を更に含み、前記第１条件及び前記第２条件は、前記受信されたユーザ設定に基づいて決定されてよい。
【００２３】
前記制御部は、前記第１ユーザインターフェースまたは前記第２ユーザインターフェースをイネーブルさせる制御部に応答してオーバーライド（ｏｖｅｒｒｉｄｅ）命令を検出し、前記ユーザの前記オーバーライド命令に相応するパターンデータを生成し、前記パターンデータに基づいて前記第１条件及び前記第２条件を修正してよい。
【００２４】
なお、本発明の実施形態に係る携帯用ユーザ装置の制御方法は、前記携帯用ユーザ装置の動作条件を検知するステップと、前記動作条件が第１条件に相応すると、前記第１ユーザインターフェースをイネーブルして前記第２ユーザインターフェースをディスエーブルするステップと、前記動作条件が第２条件に相応すると、前記第２ユーザインターフェースをイネーブルして前記第１ユーザインターフェースをディスエーブルさせるステップとを含み、前記動作条件は、前記携帯用ユーザ装置の外部動作環境及び前記携帯用ユーザ装置の動作のうち少なくとも１つである。
【００２５】
以上説明したように、本発明によれば、移動体の移動状態情報及び移動体の環境情報のうち少なくとも一方に応じて、ユーザ端末装置に設定されたＧＵＩ情報を切り替えることで、ユーザの便宜を図ることができる。
【図面の簡単な説明】
【００２６】
【図１】本発明の第１実施形態に係るユーザ端末装置を示すブロック図である。
【図２】図１によるユーザ端末装置を具体的に示すブロック図である。
【図３】本発明の第１実施形態に係るユーザ端末装置の入力モード切り替えを説明するための図である。
【図４】本発明の第１実施形態に係るユーザ端末装置の入力モード切り替えを説明するための図である。
【図５】本発明の第１実施形態に係るユーザ端末装置の入力モード切り替えを説明するための図である。
【図６】本発明の第１実施形態に係る入力モード設定ＵＩを説明するための図である。
【図７】本発明の第１実施形態に係るユーザ端末装置の制御方法を示すフローチャートである。
【図８】本発明の第２実施形態に係るユーザ端末装置を示すブロック図である。
【図９】図８によるユーザ端末装置を具体的に示すブロック図である。
【図１０】本発明の第２実施形態に係るユーザ端末装置のオプション情報の切り替えを説明するための図である。
【図１１】本発明の第２実施形態に係るユーザ端末装置のオプション情報の切り替えを説明するための図である。
【図１２】本発明の第２実施形態に係るユーザ端末装置のオプション情報の切り替えを説明するための図である。
【図１３】本発明の第２実施形態に係るユーザ端末装置のオプション情報の切り替えを説明するための図である。
【図１４】本発明の第２実施形態に係るユーザ端末装置のオプション情報の切り替えを説明するための図である。
【図１５】本発明の第２実施形態に係るユーザ端末装置の制御方法を示すフローチャートである。
【図１６】本発明の第３実施形態に係るユーザ端末装置を示すブロック図である。
【図１７】図１６によるユーザ端末装置を具体的に示すブロック図である。
【図１８】本発明の第３実施形態に係るユーザ端末装置のユーザインターフェースモード切り替えを説明するための図である。
【図１９】本発明の第３実施形態に係るユーザ端末装置のユーザインターフェースモード切り替えを説明するための図である。
【図２０】本発明の第３実施形態に係るユーザ端末装置のユーザインターフェースモード切り替えを説明するための図である。
【図２１】本発明の第３実施形態に係るユーザ端末装置のユーザインターフェースモード切り替えを説明するための図である。
【図２２】本発明の第３実施形態に係るユーザ端末装置の制御方法を説明するフローチャートである。
【図２３】本発明の第４実施形態に係るユーザ端末装置を示すブロック図である。
【図２４】図２３によるユーザ端末装置を具体的に示すブロック図である。
【図２５】本発明の第４実施形態に係るユーザ端末装置のＧＵＩ情報切り替えを説明するための図である。
【図２６】本発明の第４実施形態に係るユーザ端末装置のＧＵＩ情報切り替えを説明するための図である。
【図２７】本発明の第４実施形態に係るユーザ端末装置のＧＵＩ情報切り替えを説明するための図である。
【発明を実施するための形態】
【００２７】
以下に添付図面を参照しながら、本発明の好適な実施形態について詳細に説明する。
【００２８】
図１は、本発明の第１実施形態に係るユーザ端末装置を示すブロック図である。図１を参照すると、本発明の第１実施形態に係るユーザ端末装置（或いは、携帯用ユーザ装置）１００は、認識部１１０と、制御部１２０の一部または全部を含む。ここで、ユーザ端末装置１００は、移動体の移動状態を表示できるナビゲーション装置、モバイル端末装置、ＰＤＡ、パソコンであってよい。
【００２９】
認識部１１０は、ユーザ入力を認識する。ここで、ユーザ入力は、ユーザのタッチ入力、ユーザの音声入力、ユーザのジェスチャ入力、ユーザの瞳孔の動きによる入力（或いは、視線追跡入力）、ユーザの脳波による入力及び別のユーザ端末装置による入力のうち、少なくとも１つを含んでよい。
【００３０】
具体的に、認識部１１０は、相互異なる入力方式によって入力される信号をそれぞれ認識することができる。例えば、ユーザ端末装置１００の入力モードが第１入力モードに設定された場合、認識部１１０は、第１入力モードに対応するユーザ入力を認識することができ、ユーザ端末装置１００の入力モードが第２入力モードに設定された場合、認識部１１０は第２入力モードに対応するユーザ入力を認識することができる。
【００３１】
ここで、入力モードは、ユーザ端末装置がユーザのタッチ入力、ユーザの音声入力、ユーザのジェスチャ入力、ユーザの瞳孔の動きによる入力、ユーザの脳波による入力及び別のユーザ端末装置による入力のうち、少なくとも１つを入力として認識するモードであってよい。例えば、第１入力モードがユーザのタッチ入力及びユーザの音声入力を認識するモードであり、第２入力モードがユーザの音声入力を認識するモードの場合、認識部１１０は後述の制御部１２０の制御により、第１入力モードではユーザのタッチ入力及びユーザの音声入力のみをユーザ端末装置１００を操作するためのユーザの入力として認識することができ、第２入力モードではユーザの音声入力のみをユーザ端末装置１００を操作するためのユーザの入力として認識してよい。
【００３２】
ここで、認識部１１０は、ユーザのタッチ入力を認識するタッチ入力認識部と、ユーザの音声入力を認識する音声入力認識部と、ユーザのジェスチャ入力を認識するジェスチャ入力認識部と、ユーザの瞳孔の動きによる入力を認識する瞳孔入力認識部と、ユーザの脳波による入力を認識する脳波入力認識部及び別のユーザ端末装置による入力を認識する他デバイス入力認識部のうち、少なくとも１つを含んでよい。それに対する具体的な説明は、図２を参照して後述する。
【００３３】
制御部１２０は、ユーザ端末装置１００の動作全般を制御する。具体的に、制御部１２０は、ユーザ端末装置１００の位置する移動体の移動状態情報によって、ユーザ端末装置の入力モードを切り替え、切り替えられた入力モードに対応する入力方式で入力された信号によって動作を行うことができる。制御部１２０の具体的な動作に対する説明は、図２を参照して後述する。
【００３４】
図２は、図１によるユーザ端末装置を具体的に示すブロック図である。図２を参照すると、ユーザ端末装置１００は、認識部１１０と、制御部１２０と、検知部１３０と、通信部１４０と、ディスプレイ部１５０及び保存部１６０の全部または一部を含む。
【００３５】
認識部１１０は、ユーザのタッチ入力を認識するタッチ入力認識部１１１と、ユーザの音声入力を認識する音声入力認識部１１２と、ユーザのジェスチャ入力を認識するジェスチャ入力認識部１１３と、ユーザの瞳孔の動きによる入力を認識する瞳孔入力認識部１１４と、ユーザの脳波による入力を認識する脳波入力認識部１１５及び別のユーザ端末装置による入力を認識する他デバイス入力認識部１１６のうち、少なくも１つを含んでよい。
【００３６】
具体的に、タッチ入力認識部１１１は、ユーザのタッチを受信する。なお、タッチ入力認識部１１１は、入力されたタッチ信号を電気信号に変換して制御部１２０に出力する。ここで、タッチ入力認識部１１１は、タッチパネルで実現されてよい。なお、タッチ入力認識部１１１は、ユーザ端末装置１００のディスプレイ部１５０と組み合わせて一体型（ａｌｌ−ｉｎ−ｏｎｅ）だけでなく、分離できてよい。分離されたタッチ入力認識部１１１はユーザ端末装置１００と接続されてよい。
【００３７】
具体的に、音声入力認識部１１２は、ユーザが発話（ｕｔｔｅｒａｎｃｅ）した音声を受信する。なお、音声入力認識部１１２は、入力された音声信号を電気信号に変換して制御部１２０に出力する。ここで、音声入力認識部１１２はマイクロフォンで実現されてよい。なお、音声入力認識部１１２は、ユーザ端末装置１００と一体型だけでなく、分離できてよい。分離された音声入力認識部１１２はユーザ端末装置１００と接続されてよい。
【００３８】
ジェスチャ入力認識部１１３は、ユーザのジェスチャを撮像した映像信号（例えば、連続するフレーム）を受信して制御部１２０に提供する。ここで、ジェスチャ入力認識部１１３は、レンズ及びイメージセンサで構成されてよい。なお、ジェスチャ入力認識部１１３は、ユーザ端末装置１００と一体型だけでなく、分離されてよい。分離されたジェスチャ入力認識部１１３はユーザ端末装置１００と接続されてよい。
【００３９】
瞳孔入力認識部１１４は、ユーザのジェスチャを撮像した映像信号（例えば、連続するフレーム）を受信して制御部１２０に提供する。ここで、瞳孔入力認識部１１４は、ユーザの注視している方向に撮影方向が向くように設定され、配置された前方注視カメラ、ユーザの単眼または両眼映像を獲得するために、適切な形に配置された少なくとも１つの赤外線カメラを含んで構成されてよい。なお、実現例によっては、ユーザの視線を妨害することなく、単眼または両眼の赤外線映像を獲得するための可視光線を透過し、赤外線を反射する性質を有する反射部を更に含んでよい。なお、ここで、瞳孔入力認識部１１４は、ユーザ端末装置１００と一体型だけでなく、分離できてよい。分離されたジェスチャ入力認識部１１４はユーザ端末装置１００と接続されてよい。
【００４０】
脳波入力認識部１１５は、脳波信号を受信して制御部１２０を提供する。ここで、脳波入力認識部１１５は、ユーザの脳波をセンシングする脳波センシング電極を含み構成されてよい。ここで、脳波センシング電極は、脳波の周波数に応じて、８〜１３Ｈｚ範囲の脳波を検出するアルファ（ａｌｐｈａ）電極、１３〜３０Ｈｚ範囲の脳波を検出するベータ（ｂｅｔａ）電極、３０〜５０Ｈｚ範囲の脳波を検出するガンマ（ｇａｍｍａ）電極、０〜４Ｈｚ範囲の脳波を検出するデルタ（ｄｅｌｔａ）電極及び４〜８Ｈｚ範囲の脳波を検出するシータ（ｔｈｅｔａ）電極のうち、少なくとも１つを含んでよい。なお、脳波入力認識部１１５は、実現例によっては、センシングされた脳波をフィルタリングするフィルタリング部と、フィルタリングされた脳波を増幅する増幅部及びＡ／Ｄ変換部を更に含んでよい。なお、ここで、脳波入力認識部１１５は、ユーザ端末装置１００と一体型だけでなく、分離できてよい。分離された脳波入力認識部１１５はユーザ端末装置１００と接続されてよい。
【００４１】
他デバイス入力認識部１１６は、他のユーザ端末装置で入力された信号を受信して制御部１２０に提供する。ここで、他デバイスは、ユーザ端末装置１００を制御することができる制御信号を提供できるモバイル端末装置、ＰＤＡ、パソコン、リモコン等で実現されてよい。
【００４２】
検知部１３０は、移動体の移動状態情報を検知する。ここで、移動体は、移動する全ての対象になってよい。例えば、自動車、バス、船舶、汽車、電車、バイク等のような非人格客体であってよく、または、人のような人格客体であってよい。なお、ここで移動状態情報は、移動体の速度、移動体の動き、移動体内の騒音、移動体内の輝度のうち、少なくとも１つを含んでよい。
【００４３】
ここで、検知部１３０は、移動体の速度を検知する速度検知部１３１と、動作検知部１３２と、騒音検知部１３３及び輝度検知部１３４のうち、少なくとも１つを含んでよい。
【００４４】
具体的に、速度検知部１３１は、移動体の速度を検知し、検知信号を制御部１２０に提供する。ここで、速度検知部１３１は、ＧＰＳ情報受信モジュールで構成されてよい。それにより、速度検知部１３１は、受信されたＧＰＳ情報（例えば、移動体の緯度情報、経度情報）を用いて、移動体の速度を検知することができ、検知された速度を制御部１２０に提供することができる。
【００４５】
なお、動作検知部１３２は、移動体の動きを検知し、検知信号を制御部１２０に提供する。ここで、動作検知部１３２は、ジャイロセンサや加速度センサで実現されてよい。それにより、動作検知部１３２は、移動体の動き（基準軸に対する傾斜変化）を検知することができ、検知された動きを制御部１２０に提供することができる。
【００４６】
なお、騒音検知部１３３は、移動体内の騒音を検知し、検知信号を制御部１２０に提供する。ここで、騒音検知部１３３は、騒音振動センサ、マイクロフォンまたは加速度計センサ等で実現されてよい。それにより、騒音検知部１３３は、移動体内の騒音を検知することができ、検知された騒音を制御部１２０に提供することができる。
【００４７】
輝度検知部１３４は、移動体内の輝度(brightness)を検知し、検知信号を制御部１２０に提供する。ここで、輝度検知部１３４は、輝度センサを実現されてよい。それにより、輝度検知部１３４は、移動体内の輝度を検知することができ、検知された輝度を制御部１２０に提供することができる。
【００４８】
通信部１４０は、ユーザ端末装置１００を外部機器と接続する。よって、ユーザ端末装置１００は、ユーザ端末装置１００の駆動に必要な多様な情報、ユーザ端末装置１００のアップデートのためのアップデート情報等を受信することができる。例えば、通信部１４０を介してユーザ端末装置１００に表示されたマップのアップデートのためのアップデート情報を受信することができ、ユーザ端末装置１００のパームウェアアップデートのためのアップデート情報を受信することができる。
【００４９】
なお、通信部１４０を介して外部機器から移動状態情報を受信することができる。ここで、外部機器は、移動体の移動状態情報を検知することができる速度検知部、動作検知部、騒音検知部、輝度検知部のうち、少なくとも１つを含む機器であってよい。
【００５０】
それにより、ユーザ端末装置１００が検知部１３０に含まれた一部または全部の構成を具備しない場合、ユーザ端末装置１００は通信部１４０を介して受信された移動状態情報を用いて移動体の移動状態情報を知ることができる。例えば、ユーザ端末装置１００の検知部１３０が、速度検知部１３１のみを具備する場合、ユーザ端末装置１００は外部機器から受信された移動体の動作情報、移動体内の騒音情報、移動体内の輝度情報を用いて移動体の移動状態情報を知ることができる。
【００５１】
通信部１４０は、ユーザ端末装置１００を外部機器と接続するために形成され、近距離通信網（ＬＡＮ：Ｌｏｃａｌ  Ａｒｅａ  Ｎｅｔｗｏｒｋ）及びインターネット網を通じて無線または有線方式で接続される形態、ＵＳＢ（Ｕｎｉｖｅｒｓａｌ  Ｓｅｒｉａｌ  Ｂｕｓ）ポートを通じて接続される形態、３Ｇ、４Ｇのような移動通信網を通じて接続される形態、ＮＦＣ（Ｎｅａｒ  Ｆｉｅｌｄ  Ｃｏｍｍｕｎｉｃａｔｉｏｎ）、ＲＦＩＤ（Ｒａｄｉｏ  Ｆｒｅｑｕｅｎｃｙ  Ｉｄｅｎｔｉｆｉｃａｔｉｏｎ）等のような近距離無線通信方式を通じて接続される形態が可能である。
【００５２】
ディスプレイ部１５０は、ユーザ端末装置１００でサポートする各種機能をユーザが設定または選択できるようにするＵＩウィンドウを表示する。
【００５３】
具体的に、ディスプレイ部１５０はユーザ端末装置１００の入力モードを設定されるためのＵＩウィンドウを表示することができる。
【００５４】
なお、ディスプレイ部１５０を介して入力モードに対応するユーザ入力方式が複数の場合、入力方式を設定され、入力方式の間に優先順位を設定されるためのＵＩウィンドウを表示することができる。
【００５５】
ここで、ディスプレイ部１５０は、液晶ディスプレイ（ｌｉｑｕｉｄ  ｃｒｙｓｔａｌ  ｄｉｓｐｌａｙ）、薄膜トランジスタ液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ）、有機発光ダイオード（ｏｒｇａｎｉｃ  ｌｉｇｈｔ−ｅｍｉｔｔｉｎｇ  ｄｉｏｄｅ）、フレキシブルディスプレイ（ｆｌｅｘｉｂｌｅ  ｄｉｓｐｌａｙ）、３次元ディスプレイ（３Ｄ  ｄｉｓｐｌａｙ）のうち、少なくとも１つで実現されてよい。
【００５６】
保存部１６０は、ユーザ端末装置１００の駆動に必要な多様なプログラム及びデータを保存する機能を担う。具体的に、保存部１６０は、ユーザ端末装置１００の入力モード切り替えに必要な予め設定された条件を複数の入力モードにマッピングして保存することができる。なお、保存部１６０は、複数の入力モード及び複数の入力モードそれぞれに対応するユーザ入力方式を保存することができる。
【００５７】
なお、保存部１６０は、タッチデータベース、音声データベース、ジェスチャデータベース、瞳孔入力データベース、脳波データベース及び他デバイス情報データベースを含んでよい。タッチデータベースは、タッチ及び各タッチにマッチングするタッチタスクの記録されたデータベースを意味する。音声データベースは、音声及び各音声にマッチングする音声タスクの記録されたデータベースを意味する。ジェスチャデータベースは、ジェスチャ及び各ジェスチャにマッチングするジェスチャタスクが記録されたデータベースを意味する。瞳孔入力データベースは、瞳孔入力及び各瞳孔にマッチングする瞳孔入力タスクの記録されたデータベースを意味する。脳波データベースは、脳波及び各脳波にマッチングする脳波タスクの記録されたデータベースを意味する。
【００５８】
ここで、保存部１６０は、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード等のような内蔵された形態の保存素子は勿論、ＵＳＢメモリ、ＣＤ−ＲＯＭ等のような着脱自在の形態の保存素子で実現されてよい。
【００５９】
制御部１２０は、認識部１１０と、検知部１３０と、通信部１４０と、ディスプレイ部１５０及び保存部１６０の全部及び一部を制御することができる。
【００６０】
具体的に、制御部１２０は、タッチ入力認識部１１１を介してタッチが入力される場合、入力されたタッチに対応する機能を行うようにユーザ端末装置１００を制御することができる。
【００６１】
なお、制御部１２０は、音声入力認識部１１２を介して音声が入力される場合、入力された音声に対応する機能を行うようにユーザ端末装置１００を制御することができる。ここで、音声認識（ｖｏｉｃｅ  ｒｅｃｏｇｎｉｔｉｏｎ）は、入力される音声の形態に応じて、それぞれの単語を区分して発話した音声を認識する孤立単語認識（ｉｓｏｌａｔｅｄ  ｗｏｒｄ  ｒｅｃｏｇｎｉｔｉｏｎ）、連続単語、連続文章及び対話体音声を認識する連続音声認識（ｃｏｎｔｉｎｕｏｕｓ  ｓｐｅｅｃｈ  ｒｅｃｏｇｎｉｔｉｏｎ）及び孤立単語認識と連続音声認識との中間形態として、予め定められたキーワードを検出して認識するキーワード検出（ｋｅｙｗｏｒｄ  ｓｐｏｔｔｉｎｇ）に区分されてよい。ユーザ音声が入力される場合、制御部１２０は、入力された音声信号内でユーザの発話した音声の開始と終了とを検出して音声区間を判断する。制御部１２０は、入力された音声信号のエネルギーを計算し、計算されたエネルギーに応じて音声信号のエネルギーレベルを区分し、動的プログラミングを通じて音声区間を検出することができる。制御部１２０は、検出された音声区間内の音声信号で音響モデル（Ａｃｏｕｓｔｉｃ  Ｍｏｄｅｌ）に基づいて音声の最小単位の音素を検出し、音素データを生成する。制御部１２０は、生成された音素データにＨＭＭ（Ｈｉｄｄｅｎ  Ｍａｒｋｏｖ  Ｍｏｄｅｌ）確率モデルを適用してテキスト情報を生成する。それにより、制御部１２０は認識された音声に対応する機能を行うようにユーザ端末装置１００を制御することができる。
【００６２】
なお、制御部１２０は、ジェスチャ入力認識部１１３を介してジェスチャが入力される場合、入力されたジェスチャに対応する機能を行うようにユーザ端末装置１００を制御することができる。ジェスチャ認識（ｍｏｔｉｏｎ  ｒｅｃｏｇｎｉｔｉｏｎ）は、ジェスチャ入力認識部１１３を介して入力されるユーザのジェスチャに対応する映像（例えば、連続するフレーム）を、ジェスチャ認識モジュールを用いて周囲背景と手（例えば、指を開いてから拳を作る）領域に分離し、連続する手の動きを認識することができる。ユーザジェスチャが入力される場合、制御部１２０は受信された映像をフレーム単位で保存し、保存されたフレームを用いてユーザジェスチャの対象のオブジェクト（例えば、ユーザの手）を検知する。制御部１２０は、フレームに含まれたオブジェクトの形状、色、動きのうち、少なくとも１つを検知してオブジェクトを検出する。制御部１２０は、検出されたオブジェクトの動きを追跡することができる。なお、制御部１２０は、オブジェクトの動き以外のノイズを除去することができる。なお、制御部１２０は、追跡されたオブジェクトの形体及び位置に応じてジェスチャを判断する。制御部１２０は、オブジェクトの形の変化、速度、位置、方向等を判断してユーザのジェスチャを判断する。ユーザのジェスチャは、手を握るジェスチャのグラブ（ｇｒａｂ）、表示されたカーソルを手で移動させるジェスチャのポインティング移動（ｐｏｉｎｔｉｎｇ  ｍｏｖｅ）、手を一定速度以上に一方向に動かすジェスチャのスラップ（ｓｌａｐ）、手を左／右または上／下に振るジェスチャのシェイク（ｓｈａｋｅ）及び手を回転するジェスチャの回転、握られた手を開くジェスチャのスプレッド（ｓｐｒｅａｄ）等を含む。上述の実施形態の他のジェスチャにも、本発明の技術的思想が適用されてよい。なお、制御部１２０は、ユーザのジェスチャがポインティング移動か、スラップかを判断するために、オブジェクトが定められた時間（例えば、８００ｍｓ）内に定められた領域（例えば、４０ｃｍ×４０ｃｍの四角）を離れたかを判断する。オブジェクトが定められた時間内に定められた領域を離れない場合、制御部１２０は、ユーザのジェスチャをポインティング移動と判断することができる。オブジェクトが定められた時間内に定められた領域を離れた場合、制御部１２０はユーザのジェスチャをスラップと判断することができる。オブジェクトの速度が予め設定された速度（例えば、３０ｃｍ／ｓ）以下と判断された場合、制御部１２０は、ユーザのジェスチャをポインティング移動と判断する。オブジェクトの速度が予め設定された速度超過と判断される場合、制御部１２０はユーザのジェスチャをスラップと判断する。それにより、制御部１２０は、入力されたジェスチャに対応する機能を行うようにユーザ端末装置１００を制御することができる。
【００６３】
なお、制御部１２０は、瞳孔入力認識部１１４を介して瞳孔の動きが入力される場合、瞳孔認識モジュール及び瞳孔入力データベースを用いて瞳孔入力を認識する。具体的に、制御部１２０は、赤外線カメラで撮影されたユーザの単眼または両眼映像を用いて瞳孔の中心を検出し、検出された瞳孔の中心座標値を抽出することができる。このとき、両眼映像を利用することで、制御部１２０はユーザの凝視点を単眼に比べてより正確に検出することができる。なお、制御部１２０は、検出された瞳孔の中心座標値を抽出すると、前方注視カメラの撮影映像と視線マッピングをさせてユーザの凝視点を確認することができ、その結果、ユーザがディスプレイ部１５０に表示された映像のうち、どの部分に視線を注視しているかを知ることができるようになる。それにより、制御部１２０は、入力された瞳孔入力に対応する機能を行うようにユーザ端末装置１００を制御することができる。
【００６４】
なお、制御部１２０は、脳波入力認識部１１５を介して脳波が入力される場合、脳波認識モジュール及び脳波データベースを用いて脳波を認識する。ここで、脳波データベースには、特定脳波情報と特定制御信号とをマッピングして保存する。それにより、制御部１２０は、受信された脳波情報と脳波データベースに保存された脳波情報とを比較し、受信された脳波情報に対応する制御信号を生成する。例えば、脳波データベースは、第１脳波情報と“確認（ｅｎｔｅｒ）”という制御信号がマッピングし、第２脳波情報と“取り消し（ｃａｎｃｅｌ）”という制御信号とをマッピングしていると仮定して説明する。このとき、制御部１２０は、第１脳波情報を受信する場合、“確認”機能を行うようにユーザ端末装置１００を制御することができる。
【００６５】
なお、制御部１２０は、他デバイス入力認識部１１６を介して制御信号が入力される場合、他デバイス入力認識モジュール及び他デバイスデータベースを用いて制御信号を認識する。それにより、制御部１２０は、受信された制御信号を用いてユーザ端末装置１００を制御することができる。例えば、他デバイスで“経路探索”制御信号が入力されると、制御部１２０は“経路探索”機能を行うようにユーザ端末装置１００を制御することができる。
【００６６】
上述のように、制御部１２０は、タッチ入力、音声入力、ジェスチャ入力、瞳孔入力、脳波入力、他デバイス入力が入力されると、それぞれの入力に対応する機能を行うようにユーザ端末装置１００を制御することができる。
【００６７】
なお、制御部１２０は、ユーザ端末装置１００の位置する移動体の移動状態情報に応じて、ユーザ端末装置の入力モードを切り替え、切り替えられた入力モードに対応する入力方式で入力された信号に応じて動作を行うことができる。すなわち、制御部１２０は、移動状態情報が予め設定された条件を満たすと、ユーザ端末装置１００の入力モードを第１入力モードに設定し、移動状態情報が予め設定された条件を満たさない場合、ユーザ端末装置１００の入力モードを第２入力モードに設定することができる。
【００６８】
ここで、予め設定された条件は、移動体の事故の危険性を考慮し、予め設定された移動体の速度、移動体の動き、移動体の騒音、移動体の輝度、移動体内の騒音、移動体内の輝度のうち、少なくとも１つを含んでよい。
【００６９】
すなわち、自動車のような移動体の場合、速度が高まるとユーザの制御が困難になり、事故の危険性が高くなる。なお、移動体の動作が大きくなったり、または、移動体内の騒音が大きくなるということは、未舗装の道路を走ったり、速度が高まる場合であってよく、この場合、ユーザの制御が困難になり、事故の危険性が高くなる。なお、移動体内が暗くなるということは、トンネルを通る途中か、夜道を移動している場合であってよく、この場合、ユーザの制御が困難になり事故の危険性が高くなる。よって、予め設定された条件は移動体の事故の危険性を考慮して設定されてよい。
【００７０】
ここで、予め設定された条件は、ユーザ端末装置１００のユーザによって設定されてよい。なお、予め設定された条件は、ユーザ端末装置の製造業者によって製品設計時に予め設定されてよい。ここで、予め設定された条件は保存部１６０に保存されてよい。
【００７１】
具体的な説明のため、第１入力モードがユーザのタッチ入力及びユーザの音声入力を認識するモードであり、第２入力モードがユーザの音声入力を認識するモードの場合を例えて説明する。
【００７２】
もし、予め設定された条件が移動体の速度８０ｋｍ／ｈ以下の場合、例えば、ユーザ端末装置１００の位置する移動体の移動速度が８０ｋｍ／ｈ以下なら、制御部１２０はタッチ入力及び音声入力をユーザ端末装置１００を操作するためのユーザの入力に設定することができ、一方、ユーザ端末装置１００の位置する移動体の移動速度が８０ｋｍ／ｈ超過なら、ユーザ端末装置１００の入力モードを第１入力から第２入力モードに切り替え、音声入力のみをユーザ端末装置１００を操作するためのユーザの入力として設定することができる。
【００７３】
すなわち、移動体の速度が速い状態で、移動体を運転する運転者がユーザ端末装置１００を操作するためにタッチを行おうとすると、ディスプレイされた画面を観察しなければならないため、運転に対する集中力を低下させるようになり、それにより、事故が発生する危険性が高くなる。しかしながら、移動体を運転する運転者がユーザ端末装置１００を操作するために、音声入力を行うと、移動体の進行方向を見ながら音声入力を行うようになるため、運転に対する集中力を落とさなくてすむ。よって、制御部１２０は、移動体の速度が予め設定された速度を超過すると、入力モードを音声入力のみを認識する第２入力モードに切り替えることで、移動体を運転する運転者の事故の危険性を軽減することができる。
【００７４】
なお、もし予め設定された条件が移動体の動きであり、ここで移動体の動きが予め設定されたレベル以下なら、制御部１２０はタッチ入力及び音声入力をユーザ端末装置１００を操作するためのユーザの入力として設定することができ、もし、ユーザ端末装置１００の位置する移動体の動きが予め設定されたレベルを超過すると、ユーザ端末装置１００の入力モードを第１入力モードから第２入力モードに切り替え、音声入力のみをユーザ端末装置１００を操作するためのユーザの入力として設定することができる。
【００７５】
なお、もし予め設定された条件が移動体内の騒音であり、ここで移動体内の騒音が予め設定されたレベル以下ならば、制御部１２０はタッチ入力及び音声入力をユーザ端末装置１００を操作するためのユーザの入力として設定することができ、もし、ユーザ端末装置１００の位置する移動体内の騒音が予め設定されたレベルを超過すると、ユーザ端末装置１００の入力モードを第１入力モードから第２入力モードに切り替え、音声入力のみをユーザ端末装置１００を操作するためのユーザ入力として設定することができる。
【００７６】
なお、もし予め設定された条件が移動体の輝度であり、ここで移動体内の輝度が予め設定されたレベル以下ならば、制御部１２０はタッチ入力及び音声入力をユーザ端末装置１００を操作するためのユーザの入力に設定することができ、もし、ユーザ端末装置１００の位置する移動体内の輝度が予め設定されたレベルを超過すると、ユーザ端末装置１００の入力モードを第１入力モードから第２入力モードに切り替え、音声入力のみをユーザ端末装置１００を操作するためのユーザの入力として設定することができる。
【００７７】
すなわち、移動体の事故の危険性が高い状態で、移動体を運転する運転者がユーザ端末装置１００を操作するためにタッチを行おうとすると、ディスプレイされた画面を観察しなければならないため、運転に対する集中力を低下させるようになり、それにより、事故が発生する危険性が高くなる。しかしながら、移動体を運転する運転者がユーザ端末装置１００を操作するために、音声入力を行うと、移動体の進行方向を見ながら音声入力を行うようになるため、運転に対する集中力を落とさなくてすむ。よって、制御部１２０は、移動体の速度が予め設定された速度を超過すると、入力モードを音声入力のみを認識する第２入力モードに切り替えることで、移動体を運転する運転者の事故の危険性を軽減することができる。
【００７８】
なお、ここで第１入力モード及び第２入力モードは、上述の例示のように限定されるものではない。ただ、好適には、第１入力モードはユーザ端末装置１００を操作することができる全入力方式を含むモードであってよく、第２入力モードは移動体を運転する運転者が運転に対する集中力を低下させることなく、ユーザ端末装置１００を操作することができる入力方式を含むモードであってよい。
【００７９】
よって、タッチ入力は、運転に対する集中力を低下させるため、第２入力モードから排除されることが望ましい。
【００８０】
なお、瞳孔の動きによる入力を行うためには、瞳孔をディスプレイされた画面側を向かなければならないため、運転に対する集中力を低下させることになり、それにより、事故が発生する危険性が高くなるため、第２入力モードから排除されることが望ましい。
【００８１】
しかしながら、それに限定されるものではなく、第１及び第２入力モードはユーザ設定状態に応じて切り替えられてよい。
【００８２】
なお、制御部１２０の動作を説明するうえで、予め設定された条件を特定閾値（例えば、速度８０ｋｍ／ｈ）に限定しているが、それに限定されるものではなく、特定閾値を基準に所定の誤差範囲を含む値（例えば、速度７８ｋｍ／ｈ〜８２ｋｍ／ｈ）を予め設定された条件とすることができる。
【００８３】
なお、制御部１２０は、移動体の移動状態情報を検知することができる外部機器を検索するように前記通信部１４０を制御することができる。なお、制御部１２０は、検索された外部機器に移動体の移動状態情報を要請して受信するように通信部１４０を制御することができる。例えば、ユーザ端末装置１００が検知部１３０に含まれた一部または全部の構成を具備しない場合、ユーザ端末装置１００は移動体の移動状態情報の一部または全部を検知することができない。この場合、制御部１２０は、未検知の移動状態情報の一部または全部を受信するように通信部１４０を制御することで、移動体の移動状態情報を正確に把握することができる。
【００８４】
なお、制御部２２０は、それぞれの入力モードに対応する認識部のみを駆動するように制御することができる。例えば、第１入力モードがタッチ入力、音声入力及びジェスチャ入力をユーザの入力として認識するモードであり、第２入力モードが音声入力のみをユーザの入力として認識するモードと仮定して説明する。
【００８５】
この場合、制御部１２０は、ユーザ端末装置１００が第１入力モードに設定された場合、瞳孔入力認識部１１４と、脳波入力認識部１１５と、他デバイス入力認識部１１６を駆動させずに、タッチ入力認識部１１１と、音声入力認識部１１２と、ジェスチャ入力認識部のみを駆動させるように認識部１１０を制御することができる。なお、制御部１２０は、ユーザ端末装置１００が第２入力モードに設定された場合、音声入力認識部１１２のみを駆動させるように認識部１１０を制御することができる。それにより、認識部１１０はそれぞれの入力モードに対応する駆動のみを駆動させ、ユーザ端末装置１００を操作するためのユーザの入力を制御することができる。
【００８６】
なお、制御部１２０は、入力モードに対応する構成のみを駆動させるように認識部１１０を制御することで、不要な構成の駆動に必要な電力消耗を軽減することができる。
【００８７】
なお、制御部１２０は、移動体の移動状態情報のうち、検知が不要な移動状態情報を検知するための検知部１３０の駆動を駆動させないように検知部１３０を制御することができる。例えば、移動体の動きを検知する必要がない場合、制御部１２０は動作検知部１３２を駆動させないように検知部１３０を制御することができる。ここで、検知が不要な移動状態情報はユーザから設定されたり、通信部１４０を介して受信された移動状態情報であったり、移動体の種類に応じて検知される必要のない情報等であってよい。それにより、制御部１２０が検知の必要な移動状態情報に対応する検知部１３０の構成のみを駆動させるように検知部１３０を制御するため、不要な構成の駆動に必要な電力消耗を軽減することができる。
【００８８】
なお、制御部１２０は、入力モードを設定されるためのＵＩウィンドウで入力モードが設定されると、設定された入力モードに応じて、ユーザ端末装置１００の入力モードを切り替えることができる。すなわち、ユーザは、移動体の移動状態情報に応じて自動的に入力モードを設定することを望むこともできるが、場合によっては、手動で入力モードを設定することを望むこともあり得る。それにより、制御部１２０は、ユーザが手動で設定した入力モードとしてユーザ端末装置１００の入力モードを設定することができる。
【００８９】
なお、制御部１２０は、入力方式を設定されるためのＵＩウィンドウで入力モードに対応するユーザ入力方式が設定されると、設定された入力方式によってユーザ端末装置１００の入力モードを切り替えることができる。
【００９０】
なお、制御部１２０は、設定された入力方式の間に適用優先順位を設定するためのＵＩウィンドウで優先順位が設定されると、設定された優先順位に応じてユーザ端末装置１００が動作するように制御することができる。
【００９１】
なお、制御部１２０は、設定された入力モードを分析してユーザ手動設定（パターン）データを生成することができる。ここで、ユーザ手動設定パターンデータは、ユーザ端末装置の入力モードが第１入力モードから第２入力モードに切り替わった際、切り替えに反応するユーザの入力モード切り替えパターンを意味する。または、設定（パターン）データは、入力モード切り替えのパターンに相応するデータを含む。例えば、制御部１２０は、移動体の移動状態情報に応じて、入力モードをタッチ入力及び音声入力を含む第１入力モードから、タッチ入力のみを含む第２入力モードに切り替えたが、ユーザは第２入力モードでユーザ端末装置１００が駆動することを望まない場合、手動でジェスチャ入力のみを含む他の入力モードに切り替えてよい。入力モードを切り替える制御部１２０に応答してユーザによる入力モードの手動切り替えは、ユーザのオーバーライド命令（ｏｖｅｒｒｉｄｅ  ｃｏｍｍａｎｄ）と呼んでよい。オーバーライド命令は、制御部１２０によって検出されてよい。この場合、制御部１２０は、このようなユーザ設定入力モードを分析してユーザ手動設定パターンデータを生成することができる。なお、制御部１２０は、前記ユーザ手動設定パターンデータを累積して保存部１６０に保存するか又は更新して、保存部１６０に保存するように制御することができる。
【００９２】
なお、制御部１２０は、累積されたユーザ手動設定パターンデータを用いて、第１入力モードから前記第２入力モードに切り替えを制御することができる。すなわち、累積されたユーザ手動設定パターンデータには、ユーザがタッチ入力及び音声入力を含む第１入力モードから、タッチ入力のみを含む第２入力モードに切り替えた際、ユーザジェスチャ入力のみを含む他の入力モードに手動で設定したデータが最も多い場合、ユーザジェスチャ入力のみを含む他の入力モードに切り替えるように制御することができる。
【００９３】
なお、制御部１２０は、更新されたユーザ手動設定パターンデータを用いて、第１入力モードから第２入力モードに切り替えた際、最も最近使用された他の入力モードに切り替えるように制御することができる。
【００９４】
それにより、制御部１２０が入力モード切り替え時に、ユーザ手動設定パターンデータを反映するため、入力モード切り替えをユーザ行動に基づいて最適化することができる。
【００９５】
ここで、制御部１２０は、ＣＰＵ、制御プログラムが保存されたＲＯＭ、入力データを記憶するか又は作業関連の記録領域として使用されるＲＡＭを含んでよい。ここで、ＣＰＵ、ＲＯＭ、ＲＡＭは内部バスを通して相互接続されてよい。
【００９６】
図３ないし図５は、本発明の第１実施形態に係るユーザ端末装置の入力モード切り替えを説明するための図である。
【００９７】
図３は、ユーザ端末装置がナビゲーション装置であり、第１入力モードがユーザのタッチ入力及びユーザの音声入力を認識（或いは、収容）するモードであり、第２入力モードがユーザの音声入力を認識するモードの場合を仮定して説明する図である。
【００９８】
図３の（ａ）のように、制御部１２０は移動状態情報が予め設定された条件を満たすと、第１入力モードに設定するため、認識部１１０はユーザのタッチ入力を認識する。
【００９９】
ただ、制御部１２０は、移動状態情報が予め設定された条件を満たさない場合、第１入力モードを第２入力モードに切り替える。この場合、図３の（ｂ）のように、“タッチ入力は認識できませんでした”のような表示を提供してユーザに報知することができる。なお、ユーザに報知できる多様な方法（例えば、音声）でユーザにタッチ入力が認識できていないことを知らせることができる。
【０１００】
それにより、ユーザは図３の（ｃ）のように、音声入力を通じてユーザ端末装置の動作を制御することができる。すなわち、ユーザは、図３の（ｃ）のように、経路探索のために地域名称の“カロス通り”を音声で入力することができる。
【０１０１】
この場合、図３の（ｄ）のように、音声入力を通じてユーザ端末装置は経路を探索してユーザに経路を表示することができる。
【０１０２】
図４は、ユーザ端末装置がモバイル端末装置であり、第１入力モードがユーザの瞳孔の動きによる入力を認識するモードであり、第２入力モードがユーザのジェスチャ入力を認識するモードの場合を仮定して説明した図である。
【０１０３】
図４（ａ）のように、制御部１２０は移動状態情報が予め設定された条件を満たす場合、第１入力モードに設定するため、認識部１１０はユーザの瞳孔の動きによる入力を認識する。
【０１０４】
ただ、制御部１２０は、移動状態情報が予め設定された条件を満たさない場合、第１入力モードを第２入力モードに切り替える。この場合、図４の（ｂ）のように、“瞳孔の動きによる入力は認識できませんでした”のような表示を提供してユーザに知らせることができる。なお、ユーザに報知できる多様な方法（例えば、音声）でユーザにタッチ入力は認識できなかったことを知らせることができる。
【０１０５】
それにより、ユーザは図４の（ｃ）のように、ジェスチャ入力を通じてユーザ端末装置の動作を制御することができる。すなわち、ユーザは、図４の（ｃ）のように、経路の取り消しのために“Ｘ”行為をジェスチャで入力することができる。ただ。それに限定されるものではなく、設定状態に応じて“Ｘ”ジェスチャには他の機能がマッピングされてよい。なお、多様なジェスチャごとに異なる機能がマッピングされてよい。
【０１０６】
この場合、図４の（ｄ）のように、ジェスチャ入力を通じてユーザ端末装置は進行中の経路ガイドは取り消すことができる。
【０１０７】
図５は、ユーザ端末装置がモバイル端末装置であり、第１入力モードがユーザのタッチ入力及びユーザの音声入力を認識するモードであり、第２入力モードがユーザの音声入力を認識するモードの場合を仮定して説明する図である。
【０１０８】
図５の（ａ）のように、制御部１２０は人の移動状態情報が予め設定された条件を満たす場合、第１入力モードに設定するため、認識部１１０はユーザのタッチ入力を認識する。
【０１０９】
ただ、制御部１２０は、移動状態情報が予め設定された条件を満たさない場合、第１入力モードを第２入力モードに切り替える。この場合、図５の（ｂ）のように、“タッチ入力は認識できませんでした”のような表示を提供してユーザに知らせることができる。なお、ユーザに報知できる多様な方法（例えば、音声）でユーザにタッチ入力は認識できなかったことを知らせることができる。
【０１１０】
それにより、ユーザは図５の（ｃ）のように、音声入力を通じてユーザ端末装置の動作を制御することができる。すなわち、ユーザは、図５の（ｃ）のように、歌を聴くために音楽鑑賞アプリケーションに対応する音声命令である“音楽を聴く”を音声で入力することができる。
【０１１１】
この場合、図５の（ｄ）のように、音声入力を通じてユーザ端末装置は音楽鑑賞アプリケーションを実行させて音楽再生画面を表示することができる。
【０１１２】
図６は、本発明の第１実施形態に係る入力モード設定ＵＩを説明するための図である。図６の（ａ）のように、ディスプレイ部１５０は入力モード設定ＵＩウィンドウを表示することができる。ここで、制御部１２０は、ユーザによって入力モード１、入力モード２、入力モード３、入力モード４のうちの１つが選択され、適用ボタンが選択されると、選択された入力モードに応じてユーザ端末装置１００の入力モードを切り替えることができる。
【０１１３】
もし、ユーザが入力モードの入力モード１を選択し、切り替えボタンを選択すると、ディスプレイ部１５０は図６の（ｂ）のように、入力モード１に含まれたユーザ入力方式を設定できるＵＩウィンドウを表示することができる。以下では、ユーザがユーザ入力方式として「タッチ入力」、「音声入力」、「ジェスチャ入力」を選択したとして説明する。
【０１１４】
例えば、ユーザがユーザ入力方式を設定すると、ディスプレイ部１５０は図６の（ｃ）のように、ユーザ入力方式の間に優先順位を設定するか否かを問い合わせるためのＵＩウィンドウを表示することができる。
【０１１５】
ユーザが「ＹＥＳ」を選択すると、ディスプレイ部１５０は図６の（ｄ）のように、ユーザ入力方式の間に優先順位を設定するためのＵＩウィンドウを表示することができる。もし、ユーザが第１順位として「タッチ入力」を、第２順位として「音声入力」を、第３順位として「ジェスチャ入力」を選択し、制御部１２０はタッチ入力と音声入力とが同時に入力されると、タッチ入力をユーザ入力として認識することができる。
【０１１６】
ただ、それに限定されるものではなく、場合によっては優先順位を設定することなく、入力モード設定が終了されてよい。もし、ユーザ入力間に優先順位が設定されていない場合、制御部１２０は設定状態に応じて同時に入力されたユーザ入力を全て認識して反応することができる。なお、場合によっては、同時に入力されたユーザ入力を全て認識しなくてよい。
【０１１７】
図７は、本発明の第１実施形態に係るユーザ端末装置の制御方法を示すブローチャートである。図７を参照すると、制御方法は先に移動体の移動状態情報を検知するか、または外部機器から移動体の移動状態情報を受信する（Ｓ６０１）。
【０１１８】
そして、移動体の移動状態情報が予め設定された条件を満たすかを判断する（Ｓ６０２）。もし、予め設定された条件を満たす場合は（Ｓ６０２：Ｙ）、ユーザ端末装置の入力モードを第１入力モードに設定する（Ｓ６０３）。
【０１１９】
もし、予め設定された条件を満たさない場合は（Ｓ６０２：Ｎ）、ユーザ端末装置の入力モードを第２入力モードに設定する（Ｓ６０４）。ここで、第１入力モードは、ユーザ端末装置がユーザの複数の入力方式を認識するモードであり、第２入力モードはユーザ端末装置がユーザの単一の入力方式を認識するモードであってよい。或いは、第２入力モードは、ユーザが端末装置で利用可能な複数の入力モードのうち、一部（ｓｕｂｓｅｔ）のみを認識（或いは、受諾）するモードであってよい。例えば、第１入力モードは、ユーザ端末装置がユーザのタッチ入力、ユーザの音声入力と入力して認識するモードであり、第２入力モードは、ユーザ端末装置がユーザの音声入力のみを入力として認識するモードであってよい。なお、ここで、移動状態情報は、移動体の速度、移動体の動き、移動体内の騒音、移動体内の輝度のうち、少なくとも１つを含んでよい。
【０１２０】
上述の本発明の第１実施形態のユーザ端末装置によると、ユーザ端末装置の位置する移動体の移動状態情報に応じて、ユーザ端末装置の入力モードを切り替えることで、ユーザの便宜性、アクセス性及び安全性を向上させることができる。
【０１２１】
以下、添付の図を参照して、本発明の第２実施形態について、具体的に説明する。ただ、第２実施形態を説明するうえで、既に説明済みの構成に対する具体的な説明は省略する。
【０１２２】
図８は、本発明の第２実施形態に係るユーザ端末装置を示すブロック図である。図８を参照すると、本発明の第２実施形態に係るユーザ端末装置２００は、保存部２６０と制御部２２０の一部または全部を含むことができる。ここで、ユーザ端末装置１００は、移動体の移動状態を表示することができるナビゲーション装置、モバイル端末装置、ＰＤＡ、パソコンであってよい。
【０１２３】
保存部２６０は、ユーザ端末装置２００の駆動に必要な多様なプログラム及びデータを保存する。特に、保存部２６０は、ユーザ端末装置２００に適用されるオプション情報を予め設定情報にマッピングして保存することができる。ここで、オプション情報は複数個であってよい。なお、複数個のオプション情報は、予め設定された条件にそれぞれ異なるようにマッピングされてよい。例えば、第１条件には第１オプション情報がマッピングされてよく、第２条件には第２オプション情報がマッピングされてよい。ここで、予め設定されたオプション情報は、ＵＩの表示方式、音量、画面の輝度のうち、少なくとも１つを含んでよい。
【０１２４】
制御部２２０は、ユーザ端末装置２００の動作全般を制御する。特に、制御部２２０は、ユーザ端末装置２００の位置する移動体の移動状態情報に応じて、ユーザ端末装置２００に設定されたオプション情報を第１オプション情報から第２オプション情報に切り替えてよい。制御部２２０の具体的な動作についての説明は、図９を参照して後述する。
【０１２５】
図９は、図８によるユーザ端末装置を具体的に示すブロック図である。図９を参照すると、ユーザ端末装置２００は、認識部２１０と、制御部２２０と、検知部２３０と、通信部２４０と、ディスプレイ部２５０及び保存部２６０の全部または一部を含む。
【０１２６】
認識部２１０は、ユーザ入力を認識する。ここで、認識部２１０は、ユーザのタッチ入力を認識するタッチ入力認識部２１１と、ユーザの音声入力を認識する音声入力認識部２１２と、ユーザのジェスチャ入力を認識するジェスチャ入力認識部２１３と、ユーザの瞳孔の動きによる入力を認識する瞳孔入力認識部２１４と、ユーザの脳波による入力を認識する脳波入力認識部２１５及び別のユーザ端末装置による入力を認識する他デバイス入力認識部２１６のうち、少なくも１つを含んでよい。
【０１２７】
検知部２３０は、移動体の移動状態情報を検知する。ここで、移動体は、移動する全ての対象になってよい。例えば、自動車、バス、船舶、汽車、電車、バイク等のような非人格客体であってよく、または、人のような人格客体であってよい。なお、ここで、移動状態情報は、移動体の速度、移動体の動き、移動体内の騒音、移動体内の輝度のうち、少なくとも１つを含んでよい。
【０１２８】
ここで、検知部２３０は、移動体の速度を検知する速度検知部２３１と、動作検知部２３２と、騒音検知部２３３及び輝度検知部２３４のうち、少なくとも１つを含んでよい。
【０１２９】
通信部２４０は、ユーザ端末装置２００を外部機器と接続する機能を行う。よって、ユーザ端末装置２００は、ユーザ端末装置２００の駆動に必要な多様な情報、ユーザ端末装置２００のアップデートのためのアップデート情報等を受信することができる。なお、通信部２４０を介して外部機器から移動状態情報を受信することができる。ここで、外部機器は、移動体の移動状態情報を検知することができる速度検知部、動作検知部、騒音検知部、輝度検知部のうち、少なくとも１つを含む機器であってよい。それにより、ユーザ端末装置２００が検知部２３０に含まれた一部または全部の構成を具備しない場合、ユーザ端末装置２００は通信部２４０を介して受信された移動状態情報を用いて移動体の移動状態情報を知ることができる。
【０１３０】
ディスプレイ部２５０は、ユーザ端末装置２００でサポートする各種機能をユーザが設定または選択できるようにするＵＩウィンドウを表示する。特に、ディスプレイ部２５０は、ユーザ端末装置２００のオプション情報を第１または第２オプションとして設定されるためのＵＩウィンドウを表示することができる。
【０１３１】
保存部２６０は、ユーザ端末装置２００の駆動に必要な多様なプログラム及びデータを保存する機能を担う。具体的に、保存部２６０は、ユーザ端末装置２００のオプション切り替えに必要な予め設定された条件を複数の入力モードにマッピングして保存することができる。
【０１３２】
制御部２２０は、認識部２１０と、検知部２３０と、通信部２４０と、ディスプレイ部２５０及び保存部２６０の全部及び一部を制御することができる。特に、制御部２２０は、ユーザ端末装置２００の位置する移動体の移動状態情報に応じて、ユーザ端末装置に設定されたオプション情報を第１オプション情報から第２オプション情報に切り替えることができる。具体的に、制御部２２０は、移動状態情報が予め設定された条件を満たすと、ユーザ端末装置２００に設定されたオプション情報を第１オプション情報に設定し、移動状態情報が予め設定された条件を満たさない場合、ユーザ端末装置２００に設定されたオプション情報を前記第１オプション情報から前記第２オプション情報に切り替えるように制御することができる。
【０１３３】
ここで、予め設定された条件は、移動体の事故の危険性を考慮し、予め設定された移動体の速度、移動体の動き、移動体内の騒音、移動体内の輝度のうち、少なくとも１つを含んでよい。予め設定された条件は、移動体の事故の危険性を考慮して予め設定された端末装置の速度、端末装置の動き、端末装置近くの騒音、端末装置近くの輝度のうち、少なくとも１つを含んでよい。
【０１３４】
ここで、予め設定された条件は、ユーザ端末装置２００のユーザによって設定されてよい。なお、予め設定された条件は、ユーザ端末装置の製造業者によって製品設計時に予め設定されてよい。ここで、予め設定された条件は、保存部２６０に保存されてよい。
具体的な説明のため、第１及び第２オプション情報はＵＩの表示方式であり、予め設定された移動体の速度の場合を例えて説明する。
【０１３５】
もし、予め設定された条件が移動体の速度８０ｋｍ／ｈ以下の場合、例えば、ユーザ端末装置１００の位置する移動体の移動速度が８０ｋｍ／ｈ以下なら、制御部１２０はＬＩＳＴ方式のＵＩを表示するようにディスプレイ部２５０を制御し、一方、ユーザ端末装置１００の位置する移動体の移動速度が８０ｋｍ／ｈ超過なら、制御部１２０はＴｉｌｅ方式のＵＩを表示するようにディスプレイ部２５０を制御することができる。ここで、ＬＩＳＴ方式のＵＩは、メニューを一列で並べた方式のＵＩを意味し、Ｔｉｌｅ方式のＵＩは、メニューを一列ではない複数の列に並べた方式のＵＩを意味する。それについては、図１０ないし図１４を参照して具体的に説明する。
【０１３６】
すなわち、移動体の速度が高い状態で、移動体を運転する運転者がユーザ端末装置２００を操作するためにＬＩＳＴ方式のＵＩを使用すると、メニューの大きさが小さく表示されているため、運転中にメニュー選択が困難になる。この場合、運転者は、運転に対する集中力を低下するようになり、それにより、事故が発生する危険性が高くなる。ただ、移動体を運転する運転者がユーザ端末装置１００を操作するために、Ｔｉｌｅ方式のＵＩを使用すると、メニューが大きく表示されているため、運転中にメニュー選択が容易になる。それにより、運転者のＵＩ操作による事故が発生する危険性を軽減することができる。すなわち、制御部２２０は、移動体の速度が予め設定された速度を超過すると、Ｔｉｌｅ方式のＵＩを表示するようにディスプレイ部２５０を制御することで、移動体を運転する運転者の事故の危険性を軽減することができる。
【０１３７】
なお、制御部２２０は、上述の移動体の速度以外に予め設定された条件が移動体の動き、移動体内の騒音、移動体内の輝度の場合にも、上述のように、ＵＩの表示方式をＴｉｌｅ方式ＵＩに切り替えることで、移動体を運転する運転者の事故の危険性を軽減することができる。
なお、具体的な説明のため、第１及び第２オプション情報は音量であり、予め設定された条件が移動体内の騒音の場合を例えて説明する。
【０１３８】
もし、移動体内の騒音が予め設定されたレベル以下なら、制御部２２０は予め設定された音量で動作するようにユーザ端末装置２００を制御することができ、もし移動体内の騒音が予め設定されたレベルを超過すると、制御部２２０は音量を大きくするようにユーザ端末装置２００を制御することができる。ただ、それに限定されるものではなく、制御部２２０は移動体内の騒音に応じて適応的に音量を変化させるようにユーザ端末装置２００を制御することができる。
【０１３９】
なお、具体的な説明のため、第１及び第２オプション情報は輝度であり、予め設定された条件が移動体内の輝度の場合を例えて説明する。
【０１４０】
もし、移動体内の輝度が予め設定されたレベル以下なら、制御部２２０は予め設定された輝度で画面を表示するようにディスプレイ部２５０を制御することができ、一方、移動体内の輝度が予め設定されたレベルを超過すると、制御部２２０は輝度を上げるようにディスプレイ部２５０を制御することができる。ただ、それに限定されるものではなく、制御部２２０は移動体内の輝度に応じて適応的に輝度を変化させるようにディスプレイ部２５０を制御することができる。
【０１４１】
ただ、制御部２２０の動作を説明するうえで、予め設定された条件を特定閾値（例えば、速度８０ｋｍ／ｈ）に限定しているが、それに限定されるものではなく、特定閾値を基準に所定の誤差範囲を含む値（例えば、速度７８ｋｍ／ｈ〜８２ｋｍ／ｈ）を予め設定された条件とすることができる。
【０１４２】
なお、制御部２２０は、移動体の移動状態情報を検知できる外部機器を検索するように前記通信部２４０を制御することができる。なお、制御部２２０は、検索された外部機器に移動体の移動状態情報を要請して受信するように通信部２４０を制御することができる。
【０１４３】
なお、制御部２２０は、移動体の移動状態情報のうち、検知の必要がない移動状態情報を検知するための検知部２３０の構成を駆動させないように検知部２３０を制御することができる。
【０１４４】
なお、制御部２２０は、オプション情報を設定されるためのＵＩウィンドウでオプション情報が設定されると、設定されたオプション情報に応じて、ユーザ端末装置のオプション情報を設定することができる。すなわち、ユーザは、移動体の移動状態情報に応じて自動的にユーザ端末装置２００のオプション情報が設定されることを望むケースもあり得るが、場合によっては、手動でオプション情報を設定することを望むケースもあり得る。それにより、制御部２２０は、ユーザが手動で設定したオプション情報にユーザ端末装置２００のオプション情報を設定することができる。
【０１４５】
なお、制御部２２０は、設定されたオプション情報を分析してユーザ手動設定パターンデータを生成することができる。ここで、ユーザ手動設定パターンデータは、ユーザ端末装置のオプション情報が第１オプション情報から第２オプション情報に切り替わった際、切り替えに反応するユーザのオプション情報切り替えパターンを意味する。例えば、制御部２２０が移動体の移動状態情報に応じて、ＬＩＳＴ方式のＵＩからＴＩＬＥ方式のＵＩに切り替えたが、ユーザはＴＩＬＥ方式のＵＩにユーザ端末装置２００が駆動することを望まない場合、手動でＬＩＳＴ方式のＵＩに切り替えることができる。この場合、制御部２２０は、このようなユーザ設定オプション情報を分析してユーザ手動設定パターンデータを生成することができる。なお、制御部２２０は、前記ユーザ手動設定パターンデータを累積して保存部２６０に保存するか又は更新して、保存部２６０に保存するように制御することができる。
【０１４６】
図１０ないし図１１は、ユーザ端末装置がナビゲーション装置であり、オプション情報がＵＩの表示方式の場合を仮定して説明した図である。
【０１４７】
図１０の（ａ）のように、制御部２２０は移動状態情報が予め設定された条件を満たすと、第１オプション情報に設定するため、ディスプレイ部２５０はＬＩＳＴ方式のＵＩを表示する。
【０１４８】
ただ、制御部２２０は、移動状態情報が予め設定された条件を満たさない場合、第１オプション情報を第２オプション情報に切り替える。この場合、図１０の（ｂ）のように、ディスプレイ部２５０はＴＩＬＥ方式のＵＩを表示することができる。この場合、制御部２２０は、マップ画面を縮小して表示するようにディスプレイ部２５０を制御することができる。なお、場合によっては、図１１の（ｂ）のように、制御部２２０はＬＩＳＴ方式のＵＩに表示されたメニューの数を減らしてＴＩＬＥ方式のＵＩで表示するようにディスプレイ部２６０を制御することができる。ここで、ＴＩＬＥ方式のＵＩに表示されたメニューはユーザが頻繁に使用するメニューに設定されてよい。
【０１４９】
図１２は、ユーザ端末装置がナビゲーション装置であり、オプション情報が音量の場合を仮定して説明した図である。
【０１５０】
図１２の（ａ）のように、制御部２２０は移動状態情報が予め設定された条件を満たすと、第１オプション情報に設定するため、第１音量に応じて音声を提供することができる。
【０１５１】
ただ、制御部２２０は、移動状態情報が予め設定された条件を満たさない場合、第１オプション情報を第２オプション情報に切り替える。この場合、図１２の（ｂ）のように、音量を第２音量に自動的に切り替え、第２音量に応じて音声を提供することができる。この場合、切り替わった第２音量はディスプレイ部２５０に表示されてよい。
【０１５２】
図１３は、ユーザ端末装置がナビゲーション装置であり、オプション情報が輝度の場合を仮定して説明した図である。
【０１５３】
図１３の（ａ）のように、制御部２２０は移動状態情報が予め設定された条件を満たすと、第１オプション情報に設定するため、第１輝度に応じて音声を提供することができる。
【０１５４】
ただ、制御部２２０は、移動状態情報が予め設定された条件を満たさない場合、第１オプション情報を第２オプション情報に切り替える。この場合、図１３の（ｂ）のように、輝度を第２輝度に自動的に切り替え、第２輝度に応じて画面を提供することができる。この場合、切り替わった第２輝度に対応する輝度値（例えば、表示された画面は１００％の輝度という情報）をディスプレイ部２５０に表示されてよい。
【０１５５】
図１４ないし図１５は、ユーザ端末装置がナビゲーション装置であり、オプション情報がＵＩの表示方式の場合を仮定して説明した図である。
【０１５６】
図１４の（ａ）のように、ユーザが走っている途中に、ユーザの移動状態情報が予め設定された条件を満たすと、第１オプション情報に設定するため、ディスプレイ部２５０は図１３（ｂ）のようにＬＩＳＴ方式のＵＩを表示する。
【０１５７】
ただ、制御部２２０は、ユーザの移動状態情報が予め設定された条件を満たさない場合、第１オプション情報を第２オプション情報に切り替える。この場合、図１４の（ｃ）のように、ディスプレイ部２５０はＴＩＬＥ方式のＵＩを表示することができる。
【０１５８】
なお、場合によっては、図１５の（ｂ）とアプリケーションアイコンが表示されている状態で、ユーザの移動状態情報が予め設定された条件を満たさない場合、第１オプション情報を第２オプション情報に切り替える。この場合、図１５の（ｃ）のように、ディスプレイ部２５０はアプリケーションアイコンのうち、ユーザが最も頻繁に使用するアプリケーションアイコンを拡大して表示することができる。例えば、図１５の（ｃ）のように、「電話アプリケーションアイコン」、「メッセージアプリケーションアイコン」、「音楽アプリケーションアイコン」、「写真アプリケーションアイコン」を表示することができる。それにより、ユーザは容易にアプリケーションアイコンを選択することができる。
【０１５９】
図１６は、本発明の第２実施形態に係るユーザ端末装置の制御方法を示すフローチャートである。図１６を参照すると、制御方法は先に移動体の移動状態情報を検知するか、または、外部機器から移動体の移動状態情報を受信する（Ｓ１３０１）。
【０１６０】
移動体の移動状態情報が予め設定された条件を満たすかを判断する（Ｓ１３０２）。もし、予め設定された条件を満たす場合は（Ｓ１３０２：Ｙ）、ユーザ端末装置のオプション情報を第１オプション情報に設定する（Ｓ１３０３）。一方、予め設定された条件を満たさない場合（Ｓ１３０２：Ｎ）、ユーザ端末装置のオプション情報を第２オプション情報に設定する（Ｓ１３０４）。
【０１６１】
ここで、第１オプション情報はＬＩＳＴ方式のＵＩであり、第２オプション情報はＴｉｌｅ方式のＵＩであってよい。なお、第１オプション情報は低音量であり、第２オプション情報は高音量であってよい。なお、第１オプション情報は低輝度画面であり、第２オプション情報は低輝度画面であってよい。
【０１６２】
上述の第２実施形態のユーザ端末装置によると、ユーザ端末装置の位置する移動体の移動状態情報に応じてユーザ端末装置に設定されたオプション情報を切り替えることで、ユーザの便宜性を図ることができる。
【０１６３】
以下、添付の図を参照して本発明の第３実施形態について具体的に説明する。ただ、第３実施形態について説明するうえで、既に説明した構成に対する具体的な説明は省略する。
【０１６４】
図１７は、本発明の第３実施形態に係るユーザ端末装置を示すブロック図である。図１７を参照すると、本発明の第３実施形態に係るユーザ端末装置３００は、保存部３６０と制御部３２０の一部または全部を含む。ここで、ユーザ端末装置３００は、ナビゲーション装置、モバイル端末装置、ＰＤＡ、パソコンであってよい。
【０１６５】
保存部３６０は、ユーザ端末装置３００の駆動に必要な多様なプログラム及びデータを保存する。特に、保存部３６０は、ユーザインターフェースモードをユーザ端末装置３００を運営するユーザのユーザプロファイル情報にマッピングして保存することができる。ここで、ユーザインターフェースモードは、複数個であってよい。なお、複数個のユーザインターフェースモードは、ユーザ端末装置を運営するユーザのユーザプロファイル情報に応じて、それぞれ異なるようにマッピングされてよい。例えば、第１ユーザには第１ユーザインターフェースモードがマッピングされてよく、第２ユーザには第２ユーザインターフェースモードがマッピングされてよい。
【０１６６】
ユーザプロファイル情報は、ＩＤ／パスワードのようなユーザアカウント情報、ユーザ端末装置３００と連動する外部機器の固有識別情報（例えば、ＭＡＣ  ａｄｄｒｅｓｓ情報）等のような複数のユーザを相互識別するための情報を意味する。
【０１６７】
制御部３２０は、ユーザ端末装置３００の動作全般を制御する。具体的に、制御部３２０は、ユーザ端末装置３００を運営するユーザのユーザプロファイル情報に応じて、ユーザ端末装置３００に設定されたユーザインターフェースモードを、第１ユーザインターフェースモードから第２ユーザインターフェースモードに切り替えることができる。制御部３２０の具体的な動作についての説明は、図１５を参照して後述する。
【０１６８】
図１８は、図１７によるユーザ端末装置を具体的に示すブロック図である。図１８を参照すると、ユーザ端末装置３００は、認識部３１０と、制御部３２０と、検知部３３０と、通信部３４０と、ディスプレイ部３５０及び保存部３６０の全部または一部を含む。
【０１６９】
通信部３４０は、ユーザ端末装置３００を外部機器と接続する機能を行う。特に、通信部３４０を介して外部機器からユーザプロファイル情報を受信することができる。ここで、通信部３４０は、Ｗｉ−Ｆｉや、ブルートゥース、近距離無線通信（ＲＦＩＤ、ＮＦＣ）等を用いて外部機器からユーザプロファイル情報を受信することができる。なお、ここで外部機器は、モバイル端末装置、ＰＤＡ、パソコン等であってよい。
【０１７０】
特に、近距離無線通信の場合、ユーザ端末装置と外部機器との間のタグ付けを通じてユーザプロファイル情報を受信することができる。具体的に、近距離無線通信の場合、ユーザ端末装置は近距離無線通信リーダーを備え、外部機器は近距離無線通信タグを備える。この場合、外部機器がユーザ端末装置３００の方向に移動し、タグ付けが行われると、ユーザ端末装置３００に具備された近距離無線通信リーダーは、外部機器に具備された近距離無線通信タグの情報を読み取る。
【０１７１】
ここで、タグ付けとは、ユーザ端末装置と外部機器のうち少なくとも一方が近距離無線通信が行われる通信可能範囲内に移動するようになる行為を意味する。このような領域内に接近するようになると、ユーザ端末装置３００内の近距離無線通信リーダーでは、外部機器内の近距離無線通信タグに記録された情報を読み取る（ｒｅａｄｉｎｇ）ことができる。近距離無線通信方式の例としては、ＮＦＣ（Ｎｅａｒ  Ｆｉｅｌｄ  Ｃｏｍｍｕｎｉｃａｔｉｏｎ）が使用されてよい。ＮＦＣとは、１３．５６Ｍｚ周波数帯域を使用する非接触式近距離無線通信方式である。ＮＦＣ技術を用いると、複数の端末機が約１０ｃｍ以内のような近距離に接近した際、データが送受信されてよい。タグ付けが行われると、ユーザ端末装置３００の近距離無線通信リーダーは、外部機器の近距離無線通信タグからユーザプロファイル情報を読み取る。
【０１７２】
ディスプレイ部３５０は、ユーザ端末装置３００でサポートする各種機能をユーザが設定または選択できるようにするＵＩウィンドウを表示する。特に、ディスプレイ部３５０は、ユーザプロファイル情報を受信するためのＵＩウィンドウを表示することができる。ここで、ＵＩウィンドウユーザアカウント情報を受信するためのＵＩウィンドウであってよい。よって、ユーザは、ユーザアカウント情報を入力することで、ユーザプロファイル情報を入力することができる。
【０１７３】
すなわち、ユーザプロファイル情報は、外部機器と通信を通じて受信されるか、またはユーザから入力されてよい。
【０１７４】
保存部３６０は、ユーザ端末装置３００の駆動に必要な多様なプログラム及びデータを保存する機能を担う。特に、保存部３６０は、ユーザインターフェースモードをユーザ端末装置３００を運営するユーザのユーザプロファイル情報にマッピングして保存することができる。
【０１７５】
制御部３２０は、認識部３１０と、検知部３３０と、通信部３４０と、ディスプレイ部３５０及び保存部３６０の全部及び一部を制御することができる。
【０１７６】
特に、制御部３２０は、ユーザ端末装置３００を運営するユーザのユーザプロファイル情報に応じて、ユーザ端末装置に設定されたユーザインターフェースモードを第１ユーザインターフェースモードから第２ユーザインターフェースモードに切り替えることができる。
【０１７７】
ここで、制御部３２０は、ユーザプロファイル情報を受信するためのＵＩウィンドウを通じて入力されたユーザプロファイル情報及び通信部３４０を介して受信されたユーザプロファイル情報のうち少なくとも１つに応じて、ユーザ端末装置３００に設定されたユーザインターフェースモードを第１ユーザインターフェースモードから第２ユーザインターフェースモードに切り替えることができる。
【０１７８】
ここで、ユーザインターフェースモードは、ユーザ端末装置の入力モード、ユーザ端末装置のＵＩモード、ユーザ端末装置のオプションモードのうち、少なくとも一つを含んでよい。
【０１７９】
すなわち、ユーザ端末装置３００を使用する人によって好みが異なるため、好むユーザインターフェースモードは異なってよい。例えば、ユーザインターフェースモードが入力モードの場合、安全に運転する習慣をもつ人はユーザ端末装置３００を制御することができる全ての入力（例えば、タッチ入力、音声入力、ジェスチャ入力、瞳孔入力、脳波入力、他ユーザ端末装置による入力）を入力モードとして使用することを好むことができる。ただ、事故の経験があるか又は、安全に運転する習慣をもたない人はユーザ端末装置３００を制御することができる全ての入力のうち、音声入力、ジェスチャ入力、脳波入力、他ユーザ端末装置による入力を入力モードとして使用することを好むことができる。
【０１８０】
なお、ユーザインターフェースモードがＵＩモードの場合、老人の場合、大文字、拡大した画面、ＵＩ構成が簡単なＵＩのようなＵＩを好んでよい。一方、若い人の場合、グラフィックが派手なＵＩや、背景画面に好きな芸能人の表示されたＵＩを好んでよい。
【０１８１】
ユーザインターフェースモードがオプションモードの場合、老人の場合、明るい画面、大音量のオプションモードを好んでよい。なお、音楽好きの人の場合、大音量のオプションモードを好んでよい。
【０１８２】
よって、制御部３２０は、ユーザプロファイル情報に応じて、ユーザ端末装置３００に設定されたユーザインターフェースモードを第１ユーザインターフェースモードから第２ユーザインターフェースモードに切り替えることができる。
【０１８３】
なお、制御部３２０は、ユーザ端末装置３００のユーザインターフェースモードを設定されるためのＵＩウィンドウを介して設定されたユーザインターフェースモードに設定することができる。すなわち、ユーザは、ユーザプロファイル情報に応じて、自動的にユーザインターフェースモードを設定することを望むこともあるが、場合によっては、手動でユーザインターフェースモードを設定することを望むこともあり得る。よって、制御部３２０は、ユーザが手動で設定したユーザインターフェースモードにユーザ端末装置３００のユーザインターフェースモードを設定することができる。
【０１８４】
なお、制御部３２０は、ユーザの設定したユーザインターフェースモードを分析し、ユーザプロファイル情報に対応するユーザの手動設定パターンデータを生成することができる。ここで、ユーザ手動設定パターンデータは、ユーザ端末装置のユーザインターフェースモードが第１入力モードから第２入力モードに切り替わった際、切り替えに反応するユーザのユーザインターフェースモード切り替えパターンを意味する。例えば、制御部３２０がユーザ端末装置を運営するユーザのユーザプロファイル情報に応じて、ユーザインターフェースモードを第１ユーザインターフェースモードから第２ユーザインターフェースモードに切り替えたが、ユーザは第２ユーザインターフェースモードでユーザ端末装置３００が駆動されることを望まない場合、手動で他のユーザインターフェースモードに切り替えてよい。この場合、制御部３２０は、このようなユーザが設定したユーザインターフェースモードを分析し、ユーザ手動設定パターンデータを生成することができる。なお、制御部３２０は、前記ユーザ手動設定パターンデータを累積して保存部３６０に保存するか又は、更新して保存部３６０に保存するように制御することができる。
【０１８５】
なお、制御部３２０は累積されたユーザ手動設定パターンデータを用いて、第１ユーザインターフェースモードから第２ユーザインターフェースモードに切り替えを制御することができる。すなわち、累積されたユーザ手動設定パターンデータには、第１ユーザインターフェースモードから第２ユーザインターフェースモードに切り替えた際、他のユーザインターフェースモードに手動で設定したデータが最も多い場合、他のユーザインターフェースモードに切り替えるように制御することができる。
【０１８６】
なお、制御部３２０は、更新されたユーザ手動設定パターンデータを用いて、第１ユーザインターフェースモードから第２ユーザインターフェースモードに切り替えた際、最も最近使用された他のユーザインターフェースモードの切り替えるように制御することができる。
【０１８７】
それにより、制御部３２０がユーザインターフェースモード切り替え時に、ユーザ手動設定パターンデータを反映するため、ユーザインターフェースモード切り替えをユーザ行動に基づいて最適化することができる。
【０１８８】
なお、制御部３２０はユーザプロファイル情報に対応するユーザの嗜好行動パターンデータを生成し、ユーザの嗜好行動パターンデータを用いて、ユーザプロファイル情報に対応するユーザインターフェースモードを生成することができる。ここで、ユーザの嗜好行動パターンデータは、ユーザ端末装置３００の使用時にユーザが主に使用する機能を意味する。例えば、入力モードをタッチモード、音声モードで使用したり、ＵＩモードをＴＩＬＥ方式のＵＩで使用したり、音量は５０％にするようなユーザの嗜好行動パターンを意味する。すなわち、制御部３２０は、上述のユーザの嗜好行動パターンから嗜好行動パターンデータを生成し、それを用いてユーザプロファイル情報に対応するユーザインターフェースモードを生成することができる。なお、制御部３２０は、前記ユーザの嗜好行動パターンデータを保存部３６０に保存するように制御することができる。
【０１８９】
なお、制御部３２０は、ユーザ端末装置３００に設定されたユーザインターフェースモードをユーザの嗜好パターンデータを用いて生成されたユーザインターフェースモードに設定することができる。それにより、ユーザは、ユーザプロファイル情報の入力または外部機器を通じてユーザプロファイル情報の入力を通じて、自分が好むユーザインターフェースモードに応じてユーザ端末装置３００を使用することができる。
【０１９０】
図１９は、ユーザプロファイル情報に応じて、ユーザインターフェースモードのうち入力モードが切り替わったことを説明する図である。
【０１９１】
図１９の（ａ）、（ｄ）のように、ディスプレイ部３５０はユーザアカウント情報を受信するためのＵＩウィンドウを表示することができる。それにより、ユーザはユーザプロファイル情報を入力することができる。
【０１９２】
この場合、制御部３２０は、ユーザプロファイル情報に応じて、ユーザ端末装置３００に設定されたユーザインターフェースモードを設定することができる。
【０１９３】
例えば、図１９の（ｂ）のように、全ユーザ入力が入力モードとして動作するようにユーザインターフェースモードを設定することができ、図１９（ｅ）のように、音声入力のみを入力モードとして動作するようにユーザインターフェースモードを設定することができる。
【０１９４】
この場合、図１９（ａ）に示すアカウント情報を入力したユーザは、図１９の（ｃ）のように、ユーザの全入力のうちの１つであるタッチ入力を通じてユーザ端末装置３００を制御することができる。ただ、図１９の（ｄ）に示すアカウント情報を入力したユーザは、音声入力を通じてのみユーザ端末装置３００を制御することができる。
【０１９５】
例えば、安全に運転する習慣をもつ人はユーザ端末装置３００を制御することができる全ての入力（例えば、タッチ入力、音声入力、ジェスチャ入力、瞳孔入力、脳波入力、他ユーザ端末装置による入力）を入力モードとして使用することを好むことができる。一方、事故の経験があるか又は安全に運転する習慣をもたない人はユーザ端末装置３００を制御することができる全ての入力のうち、音声入力、ジェスチャ入力、脳波入力、他ユーザ端末装置による入力を入力モードとして使用することを好むことができる。よって、図１９のように、制御部３２０はユーザプロファイル情報に応じてユーザインターフェースモードを設定することができる。
【０１９６】
ただ、図１９は、説明の便宜上のための例示に過ぎず、それに限定されるものではない。例えば、アカウント情報を受信するためのＵＩウィンドウはパスワード入力方式によって多様なＵＩウィンドウが表示されてよい。
【０１９７】
図２０は、ユーザプロファイル情報に応じて、ユーザインターフェースモードのうちＵＩモードが切り替わったことを説明する図である。
【０１９８】
図２０の（ａ）、（ｄ）のように、タグ付けを通じてユーザ端末装置３００はユーザプロファイル情報を受信することができる。
【０１９９】
この場合、制御部３２０は、ユーザプロファイル情報に応じて、ユーザ端末装置３００に設定されたユーザインターフェースモードを設定することができる。
【０２００】
例えば、図２０の（ｂ）のように、ＵＩをＴＩＬＥ方式のＵＩで表示することができ、文字のサイズも小さく表示することができる。なお、図２０の（ｄ）のように、ＵＩをＬＩＳＴ方式のＵＩで表示することができ、文字のサイズも拡大して表示することができる。
【０２０１】
すなわち、老人の場合、図２０の（ｄ）のような大文字、拡大した画面、ＵＩ構成が簡単なＵＩを好んでよい。ただ、若い人の場合、図２０の（ｄ）のように、１画面に多くの内容を表示するＵＩを好んでよい。それにより、制御部３２０は、ユーザプロファイル情報に応じて、ユーザ端末装置３００に設定されたユーザインターフェースモードを設定することができる。
【０２０２】
図２１は、ユーザプロファイル情報に応じて、ユーザインターフェースモードのうちオプションモードが切り替わったことを説明する図である。
【０２０３】
図２１の（ａ）、（ｄ）のように、タグ付けを通じてユーザ端末装置３００はユーザプロファイル情報を受信することができる。
【０２０４】
この場合、制御部３２０は、ユーザプロファイル情報に応じて、ユーザ端末装置３００に設定されたユーザインターフェースモードを設定することができる。
【０２０５】
例えば、図２１の（ｂ）のように、オプションモードを、輝度１００％とし、音量８０％とすることができる。なお、図２１の（ｄ）のように、オプションモードを音量１００％とすることができる。すなわち、老人の場合、明るい画面、大音量のオプションモードを好んでよい。なお、音楽が好きな人の場合、大音量のオプションモードを好んでよい。それにより、制御部３２０は、ユーザプロファイル情報に応じて、ユーザ端末装置３００に設定されたユーザインターフェースモードを設定することができる。
【０２０６】
図１９ないし図２１は、説明の便宜上の例示に過ぎず、それに限定されるものではない。例えば、アカウント情報を受信するためのＵＩウィンドウはパスワード入力方式に応じて、多様なＵＩウィンドウが表示されてよい。なお、ユーザインターフェースモードは重複して設定されてよい。例えば、ユーザプロファイル情報に応じて、入力モード、ＵＩモード、オプションモードが全て同時に設定されてよく、そのうちの一部のみが設定されてよい。
【０２０７】
図２２は、本発明の第３実施形態に係るユーザ端末装置の制御方法を説明するためのフローチャートである。図２２を参照すると、まずユーザ端末装置を運営するユーザのプロファイル情報をディスプレイ部を介して受信するか又は外部機器から受信する（Ｓ１９０１）。
【０２０８】
そして、ユーザプロファイル情報に応じて、ユーザ端末装置に設定されたユーザインターフェースモードを第１ユーザインターフェースモードから第２ユーザインターフェースモードに切り替える（Ｓ１９０２）。
【０２０９】
ここで、ユーザインターフェースモードは、ユーザ端末装置の入力モード、ユーザ端末装置のＵＩモード、ユーザ端末装置のオプションモードのうち、少なくとも１つを含んでよい。
【０２１０】
上述の本発明の第３実施形態のユーザ端末装置によると、ユーザ端末装置を運営するユーザのユーザプロファイル情報に応じて、ユーザ端末装置に設定されたユーザインターフェースモードを切り替えることで、ユーザの便宜性を図ることができる。
【０２１１】
以下、添付の図を参照して、本発明の第４実施形態について具体的に説明する。ただし、第４実施形態を説明するうえで、既に説明した構成に対する具体的な説明は省略する。
【０２１２】
図２３は、本発明の第４実施形態に係るユーザ端末装置を示すブロック図である。図２３を参照すると、本発明の第４実施形態に係るユーザ端末装置４００は、保存部４６０と制御部４２０の一部または全部を含むことができる。ここで、ユーザ端末装置４００は、ナビゲーション装置、モバイル端末装置、ＰＤＡ、パソコンであってよい。
【０２１３】
保存部４６０は、ユーザ端末装置４００の駆動に必要な多様なプログラム及びデータを保存する。特に、保存部４６０は、ＧＵＩ情報（例えば、アイコン、ボタン、イメージ、グラフィック情報等）を移動体の状態情報及び移動体の環境情報にマッピングして保存することができる。ここで、ＧＵＩ情報は複数個であってよい。ＧＵＩ情報は、ＧＵＩ要素（ｅｌｅｍｅｎｔ）で示されてよい。なお、複数個のＧＵＩ情報は、移動体の状態情報及び移動体の環境情報に応じて、それぞれ異なるようにマッピングされてよい。
【０２１４】
ここで、移動体の状態情報は、移動体の燃料量、移動体の現在位置、移動体の目的地、移動体の移動区間等であってよく、移動体の環境情報は現在の天気、現在時刻等であってよい。
【０２１５】
制御部４２０は、ユーザ端末装置４００の動作全般を制御する。特に、制御部４２０は、移動体の状態情報及び移動体の環境情報のうち少なくとも一方に応じて、ユーザ端末装置４００に設定されたＧＵＩ情報を第１ＧＵＩ情報から第２ＧＵＩ情報に切り替えることができる。制御部４２０の具体的な動作についての説明は、図２４を参照して後述する。
【０２１６】
図２４は、図２３に係るユーザ端末装置を具体的に示すブロック図である。図２４を参照すると、ユーザ端末装置４００は、認識部４１０と、制御部４２０と、検知部４３０と、通信部４４０と、ディスプレイ部４５０及び保存部４６０の全部または一部を含む。
【０２１７】
制御部４２０は、認識部４１０と、検知部４３０と、通信部４４０と、ディスプレイ部４５０及び保存部４６０の全部または一部を制御することができる。
【０２１８】
特に、制御部４２０は、移動体の状態情報及び移動体の環境情報のうち少なくとも一方に応じて、ユーザ端末装置４００に設定されたＧＵＩ情報を第１ＧＵＩ情報から第２ＧＵＩ情報に切り替えることができる。
【０２１９】
例えば、移動体の燃料量が不足している場合、ユーザはガソリンスタンドを探すことになる。なお、移動体の現在位置に応じて、ユーザは美味しい店を探す場合もあり、現在位置から最も近い名所を探したがることもある。なお、移動体の目的地に応じて、ユーザは目的地近くの美味しい店を探すこともあり、目的地に近い宿を探したがることがある。なお、移動体の移動区間に応じて、ユーザは道の混まない他経路を探すことを望むことがあり得るし、または、ドライヴに絶景の他の移動区間を探すことを望むこともあってよい。なお、天気が良くない場合、ユーザは明るい道路を通って移動することを望んでよく、または、ユーザ端末装置４００の画面を明るくしたり、音量を大きくしたり、多様な入力モードを使用することを望むことがあってよい。なお、天気の良い場合、ユーザは移動体の現在位置の近くのお出かけ先を探すこともあり得る。なお、現在時刻が夜の場合、ユーザは画面を明るくしたいと感じるとともに、夜景の良い名所を探したがる場合があってよい。
【０２２０】
それにより、制御部４２０は移動体の状態情報及び移動体の環境情報に応じて、ユーザ端末装置４００に設定されたユーザインターフェースモードを第１ユーザインターフェースモードから第２ユーザインターフェースモードに切り替えることができる。
【０２２１】
なお、制御部４２０は、ユーザ端末装置４００のＧＵＩ情報をＵＩウィンドウを通じて設定されたＧＵＩ情報に設定することができる。すなわち、ユーザは、移動体の状態情報及び移動体の環境情報に応じて、自動的にＧＵＩ情報を設定することを望むこともあるが、場合によっては、手動でＧＵＩ情報を設定することを望んでよい。それにより、制御部４２０は、ユーザが手動で設定したＧＵＩ情報にユーザ端末装置４００のＧＵＩ情報を設定することができる。
【０２２２】
なお、制御部４２０は、ユーザの設定したＧＵＩ情報を分析し、移動体の状態情報及び移動体の環境情報に対応するユーザの手動設定パターンデータを生成することができる。ここで、ユーザ手動設定パターンデータは、ユーザ端末装置のＧＵＩ情報が第１ＧＵＩ情報から第２ＧＵＩ情報に切り替わった際、切り替えに反応するユーザのＧＵＩ情報切り替えパターンを意味する。例えば、制御部４２０が移動体の状態情報及び移動体の環境情報のうち少なくとも一方に応じて、ＧＵＩ情報を第１ＧＵＩ情報から第２ＧＵＩ情報に切り替えたが、ユーザは第２ＧＵＩ情報でユーザ端末装置４００が駆動されることを望まない場合、手動で他のＧＵＩ情報に切り替えることができる。この場合、制御部４２０は、このようなユーザの設定したＧＵＩ情報を分析し、ユーザ手動設定パターンデータを生成することができる。なお、制御部４２０は、前記ユーザ手動設定パターンデータを累積して保存部４６０に保存するか又は、更新して保存部４６０に保存するように制御することができる。
【０２２３】
なお、制御部４２０は、累積されたユーザ手動設定パターンデータを用いて、第１ＧＵＩ情報から第２ＧＵＩ情報に切り替えを制御することができる。すなわち、累積されたユーザ手動設定パターンデータには、第１ＧＵＩ情報から第２ＧＵＩ情報に切り替えた際、他のＧＵＩ情報に手動で設定したデータが最も多い場合、他のＧＵＩ情報に切り替えるように制御することができる。
【０２２４】
なお、制御部４２０は、更新されたユーザ手動設定パターンデータを用いて、第１ＧＵＩ情報から第２ＧＵＩ情報に切り替えた際、最も最近使用された他のＧＵＩ情報に切り替えるように制御することができる。
【０２２５】
なお、制御部４２０は、ユーザ手動設定パターンデータを用いて、第１ＧＵＩ情報から第２ＧＵＩ情報に切り替えを制御することができる。
【０２２６】
図２５は、移動体の状態情報に応じて、ＧＵＩ情報が切り替わったことを説明する図である。図２５の（ａ）にように、移動体の燃料量が不足している場合、それをユーザに表示することができる。この場合、図２５の（ｂ）のように、制御部４２０は移動体の移動区間に位置するガソリンスタンドを表示するＧＵＩ情報に設定することができる。それにより、ユーザは容易に移動区間内に位置するガソリンスタンドの位置を把握することができる。
【０２２７】
図２６は、移動体の環境情報に応じて、ＧＵＩ情報が切り替わったことを説明する図である。図２６の（ａ）のように、ユーザ端末装置４００は移動体の進行方向に向かって表示することができる。しかしながら、天気が良くない、又は、ユーザの視野が確保できていない際、移動体の進行方向を複数に表示するＧＵＩ情報に設定することができる。それにより、ユーザは予め進行方向を認識して容易に運転することができる。
【０２２８】
図２７は、移動体の状態情報に応じて、ＧＵＩ情報が切り替わったことを説明する図である。図２７の（ａ）のように、ユーザ端末装置４００は移動体の移動経路を表示することができる。もし、ユーザが移動経路を頻繁に通るため馴染みのある経路の場合、道を熟知しているとすることができる。この場合、図２７の（ｂ）のように、制御部４２０は、移動体の移動経路情報を詳細に表示するよりは、周辺の美味しい店情報や、名所、または夜景の綺麗なスポット等を表示するＧＵＩ情報に設定することができる。それにより、ユーザは周辺情報を容易に把握することができる。
【０２２９】
上述の本発明の第４実施形態のユーザ端末装置によると、移動体の移動状態情報及び移動体の環境情報のうち少なくとも一方に応じて、ユーザ端末装置に設定されたＧＵＩ情報を切り替えることで、ユーザの便宜性を図ることができる。
【０２３０】
一方、上述の本発明の多様な実施形態に係るユーザ端末装置の制御方法は、プログラムコードで実現され、多様な非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）に保存された状態で各サーバまたは機器に提供されてよい。
【０２３１】
非一時的な読み取り可能な媒体とは、レジスタやキャッシュ、メモリ等のように短い間だけデータを保存する媒体ではなく、半永久的にデータを保存し、機器によって読み取り（ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０２３２】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０２３３】
１００    ユーザ端末装置
１１０    認識部
１１１    タッチ入力認識部
１１２    音声入力認識部
１１３    ジェスチャ入力認識部
１１４    瞳孔入力認識部
１１５    脳波入力認識部
１１６    他デバイス入力認識部
１２０    制御部
１３０    検知部
１３１    速度検知部
１３２    動作検知部
１３３    騒音検知部
１３４    輝度検知部
１４０    通信部
１５０    ディスプレイ部
１６０    保存部
２００    ユーザ端末装置
２１０    認識部
２１１    タッチ入力認識部
２１２    音声入力認識部
２１３    ジェスチャ入力認識部
２１４    瞳孔入力認識部
２１５    脳波入力認識部
２１６    他デバイス入力認識部
２２０    制御部
２３０    検知部
２３１    速度検知部
２３２    動作検知部
２３３    騒音検知部
２３４    輝度検知部
２４０    通信部
２５０    ディスプレイ部
２６０    保存部
３００    ユーザ端末装置
３１０    認識部
３２０    制御部
３３０    検知部
３４０    通信部
３５０    ディスプレイ部
３６０    保存部
４００    ユーザ端末装置
４１０    認識部
４２０    制御部
４３０    検知部
４４０    通信部
４５０    ディスプレイ部
４６０    保存部
【図１】
2015517149.tif 000003
【図２】
2015517149.tif 000004
【図３】
2015517149.tif 000005
【図４】
2015517149.tif 000006
【図５】
2015517149.tif 000007
【図６】
2015517149.tif 000008
【図７】
2015517149.tif 000009
【図８】
2015517149.tif 000010
【図９】
2015517149.tif 000011
【図１０】
2015517149.tif 000012
【図１１】
2015517149.tif 000013
【図１２】
2015517149.tif 000014
【図１３】
2015517149.tif 000015
【図１４】
2015517149.tif 000016
【図１５】
2015517149.tif 000017
【図１６】
2015517149.tif 000018
【図１７】
2015517149.tif 000019
【図１８】
2015517149.tif 000020
【図１９】
2015517149.tif 000021
【図２０】
2015517149.tif 000022
【図２１】
2015517149.tif 000023
【図２２】
2015517149.tif 000024
【図２３】
2015517149.tif 000025
【図２４】
2015517149.tif 000026
【図２５】
2015517149.tif 000027
【図２６】
2015517149.tif 000028
【図２７】
2015517149.tif 000029
【国際調査報告】
2015517149.tif 000030
2015517149.tif 000031